(57)【特許請求の範囲】
【請求項１】
入力画像を構成する各入力画素の入力階調値を表す画像データに応じて記録媒体上に出力画像を形成する画像形成方法であって、
前記入力画素毎に、前記入力階調値に応じてエンコードデータを生成するエンコードデータ生成工程と、
前記入力画素毎に、前記エンコードデータに応じて前記入力画素に対応する複数の画素である出力画素群におけるドット配置を決定して、前記記録媒体上に形成されるべきドットの形成状態を表すドットデータを生成するドットデータ生成工程と、
前記ドットデータに応じて、前記記録媒体上に同一サイズのドットを形成する画像形成工程と、
を備え、
前記ドットデータ生成工程は、前記入力階調値の全部の範囲に対してブルーノイズ特性またはグリーンノイズ特性のいずれかの特性を有するドット配置決定用マトリクスを適用して前記ドット配置を決定するドット配置決定工程を含み、
前記ドット配置決定工程は、前記入力階調値の少なくとも一部の範囲において、少なくとも一部の出力画素群については、前記一部の入力階調値範囲において、前記ドット配置決定用マトリクスの粒状性評価値に対する減少量が一定値以下である粒状性評価値を有する特定のドット配置決定用マトリクスを適用して前記ドット配置を決定する工程を含むことを特徴とする、画像形成方法。
【請求項２】
請求項１記載の画像形成方法であって、
前記ドット配置決定用マトリクスは、ドット配置決定用マトリクス生成の基準として予め準備された基準位置マトリックスと、前記基準位置マトリックスにおいて形成されるドットの順序を表す可変長の位置番号データとに応じて生成される、画像形成方法。
【請求項３】
印刷媒体上に印刷を行う印刷方法であって、
元画像を構成する各画素の入力階調値を表す画像データに対して、所定のディザマトリックスを用いてハーフトーン処理を行うことによって、前記印刷媒体上に形成されるべき印刷画像の各印刷画素へのドットの形成状態を表すドットデータを生成するドットデータ生成工程と、
前記ドットデータに応じて、前記各印刷画素にドットを形成して前記印刷画像を生成する印刷画像生成工程と、
を備え、
前記所定のディザマトリックスは、各々が閾値を格納する複数のセルのブロックである複数のローカルマトリックスに分割された行列として構成されており、
前記行列は、前記入力階調値の全部の範囲に対して前記ドットの形成状態がブルーノイズ特性またはグリーンノイズ特性のいずれかの特性に近づくように閾値の格納位置が決定された後に、前記入力階調値の一部の範囲に対して前記ドットの形成状態が前記ブルーノイズ特性またはグリーンノイズ特性のいずれかの特性にさらに近づくように閾値の格納位置が、前記複数のローカルマトリックスの各々の範囲内において変更され、前記一部の入力階調値範囲において、前記所定のディザマトリクスの粒状性評価値に対する減少量が一定値以下である粒状性評価値を有することを特徴とする、印刷方法。
【請求項４】
入力画像を構成する各入力画素の入力階調値を表す画像データに応じて記録媒体上に出力画像を形成する画像形成システムであって、
前記入力画素毎に、前記入力階調値に応じてエンコードデータを生成するエンコードデータ生成部と、
前記入力画素毎に、前記エンコードデータに応じて前記入力画素に対応する複数の画素である出力画素群におけるドット配置を決定して、前記記録媒体上に形成されるべきドットの形成状態を表すドットデータを生成するドットデータ生成部と、
前記ドットデータに応じて、前記記録媒体上に同一サイズのドットを形成する画像形成部と、
を備え、
前記ドットデータ生成部は、前記入力階調値の全部の範囲に対してブルーノイズ特性またはグリーンノイズ特性のいずれかの特性を有するドット配置決定用マトリクスを適用して前記ドット配置を決定し、
前記ドット配置の決定は、前記入力階調値の少なくとも一部の範囲において、少なくとも一部の出力画素群については、前記一部の入力階調値範囲において、前記ドット配置決定用マトリクスの粒状性評価値に対する減少量が一定値以下である粒状性評価値を有する特定のドット配置決定用マトリクスを適用して行われることを特徴とする、画像形成システム。
【請求項５】
入力画像を構成する各入力画素の入力階調値を表す画像データに応じて記録媒体上に出力画像を形成する印刷物の生成方法であって、
前記入力画素毎に、前記入力階調値に応じてエンコードデータを生成するエンコードデータ生成工程と、
前記入力画素毎に、前記エンコードデータに応じて前記入力画素に対応する複数の画素である出力画素群におけるドット配置を決定して、前記記録媒体上に形成されるべきドットの形成状態を表すドットデータを生成するドットデータ生成工程と、
前記ドットデータに応じて、前記記録媒体上に同一サイズのドットを形成する画像形成工程と、
を備え、
前記ドットデータ生成工程は、前記入力階調値の全部の範囲に対してブルーノイズ特性またはグリーンノイズ特性のいずれかの特性を有するドット配置決定用マトリクスを適用して前記ドット配置を決定するドット配置決定工程を含み、
前記ドット配置決定工程は、前記入力階調値の少なくとも一部の範囲において、少なくとも一部の出力画素群については、前記一部の入力階調値範囲において、前記ドット配置決定用マトリクスの粒状性評価値に対する減少量が一定値以下である粒状性評価値を有する特定のドット配置決定用マトリクスを適用して前記ドット配置を決定する工程を含むことを特徴とする、印刷物の生成方法。
【請求項６】
所定のエンコードデータの入力に応じて記録媒体上に出力画像を形成する画像形成装置であって、
前記所定のエンコードデータは、入力画像を構成する各入力画素の入力階調値に応じて前記入力画素毎に生成されたデータであり、
前記画像形成装置は、
前記入力画素毎に、前記エンコードデータに応じて前記入力画素に対応する複数の画素である出力画素群におけるドット配置を決定して、前記記録媒体上に形成されるべきドットの形成状態を表すドットデータを生成するドットデータ生成部と、
前記ドットデータに応じて、前記記録媒体上に同一サイズのドットを形成する画像形成部と、
を備え、
前記ドットデータ生成部は、前記入力階調値の全部の範囲に対してブルーノイズ特性またはグリーンノイズ特性のいずれかの特性を有するドット配置決定用マトリクスを適用して前記ドット配置を決定し、
前記ドット配置の決定は、前記入力階調値の少なくとも一部の範囲において、少なくとも一部の出力画素群については、前記一部の入力階調値範囲において、前記ドット配置決定用マトリクスの粒状性評価値に対する減少量が一定値以下である粒状性評価値を有する特定のドット配置決定用マトリクスを適用して行われることを特徴とする、画像形成装置。
【請求項７】
所定のエンコードデータの入力に応じて記録媒体上に出力画像を形成する画像形成装置を制御するためのコンピュータプログラムであって、
前記所定のエンコードデータは、入力画像を構成する各入力画素の入力階調値に応じて前記入力画素毎に生成されたデータであり、
前記コンピュータプログラムは、
前記入力画素毎に前記エンコードデータに応じて前記入力画素に対応する複数の画素である出力画素群におけるドット配置を決定して、前記記録媒体上に形成されるべきドットの形成状態を表すドットデータを生成するドットデータ生成機能を前記コンピュータに実現させるプログラムを備え、
前記ドットデータ生成機能は、前記入力階調値の全部の範囲に対してブルーノイズ特性またはグリーンノイズ特性のいずれかの特性を有するドット配置決定用マトリクスを適用して前記ドット配置を決定し、
前記ドット配置の決定は、前記入力階調値の少なくとも一部の範囲において、少なくとも一部の出力画素群については、前記一部の入力階調値範囲において、前記ドット配置決定用マトリクスの粒状性評価値に対する減少量が一定値以下である粒状性評価値を有する特定のドット配置決定用マトリクスを適用して行われることを特徴とする、コンピュータプログラム。
【発明の詳細な説明】
【技術分野】
【０００１】
この発明は、印刷媒体上にドットを形成して画像を印刷する技術に関する。
【背景技術】
【０００２】
コンピュータで作成した画像や、デジタルカメラで撮影した画像などの出力装置として、印刷媒体上にドットを形成して画像を印刷する印刷装置が広く使用されている。このような印刷装置では、従来からディザ法や誤差拡散法によってハーフトーン処理を行って印刷媒体上のドットの形成状態が決定されている。
【発明の開示】
【発明が解決しようとする課題】
【０００３】
しかし、従来のディザ法や誤差拡散法は、本来的に以下の限界を有している。ディザ法は、ディザマトリックスの閾値の格納要素の適切な配置によってドットの形成状態を直接的に制御できるという利点がある一方、想定される入力階調値の全域を評定として閾値の格納要素が配置されなければならないという限界を有している。すなわち、入力階調値の一部領域に対して閾値の格納要素の配置を最適化させると、他の領域において最適状態から離れてしまうので入力階調値の全域に対する妥協が必要となってしまうのである。一方、誤差拡散法は、誤差の拡散によってドットを分散させるので上記妥協を行うことなくドットの分散性を確保することができる一方、ドットの形成状態を直接的に制御することが困難であるとともに処理負担が大きいという問題を有している。
【０００４】
この発明は、従来の技術における上述した課題を解決するためになされたものであり、同一サイズのドットを形成する印刷において、入力階調値の他の領域の画質をトレードオフの対象とすることなく入力階調値の一部の領域の画質を向上させる技術の提供を目的とする。
【課題を解決するための手段】
【０００５】
上述した課題の少なくとも一部を解決するために、本発明は、入力画像を構成する各入力画素の入力階調値を表す画像データに応じて記録媒体上に出力画像を形成する画像形成方法であって、
前記入力画素毎に、前記入力階調値に応じてエンコードデータを生成するエンコードデータ生成工程と、
前記入力画素毎に、前記エンコードデータに応じて前記入力画素に対応する複数の画素である出力画素群におけるドット配置を決定して、前記記録媒体上に形成されるべきドットの形成状態を表すドットデータを生成するドットデータ生成工程と、
前記ドットデータに応じて、前記記録媒体上に同一サイズのドットを形成する画像形成工程と、
を備え、
前記ドットデータ生成工程は、前記入力階調値の全部の領域に対して前記ドットの形成状態が所定の特性に近づくように構成されたドット配置決定用マトリクスに基づいて前記ドット配置を決定するドット配置決定工程を含み、
前記ドット配置決定工程は、前記入力階調値の少なくとも一部の領域において、少なくとも一部の出力画素群については、前記一部の領域では前記ドットの形成状態が前記ドット配置決定用マトリクスよりも前記所定の特性にさらに近づくように構成された特定のドット配置決定用マトリクスに基づいて前記ドット配置を決定する工程を含むことを特徴とする。
【０００６】
本発明の画像形成方法では、入力階調値の一部の領域ではドットの形成状態がドット配置決定用マトリクスよりも所定の特性にさらに近づくように構成された特定のドット配置決定用マトリクスに基づいて同一サイズのドット配置が決定されるので、入力階調値の他の領域の画質をトレードオフの対象とすることなく入力階調値の一部の領域の画質を向上させることができる。
【０００７】
なお、「エンコードデータ生成工程」は、入力画素の入力階調値から直接的にエンコードデータを生成するようにしても良いし、あるいは、たとえば入力画像を解像度変換した後に入力画素に対応する複数の画素に含まれる画素の少なくとも１つの画素値に応じてエンコードデータを生成するようにしても良い。前者は、解像度変換処理に伴う処理負担や画質の劣化を防止することができるという利点を有し、後者は、任意の大きさの印刷を実現することができるという利点を有する。
現することができるという利点を有する。
【０００８】
また、「ドットデータ生成工程」は、エンコードデータの入力毎にドット配置決定用マトリクス（特定のドット配置決定用マトリックスを含む）に基づいてドット配置を決定する場合だけでなく、たとえば後述する第８の変形例のようにドット配置決定用マトリクスに基づいて予め対応関係が決定されたテーブルを利用することによってドット配置を決定するような場合も含む。
【０００９】
上記印刷方法において、前記ドット配置決定用マトリクスは、ドット配置決定用マトリクス生成の基準として予め準備された基準位置マトリックスと、前記基準位置マトリックスにおいて形成されるドットの順序を表す可変長の位置番号データとに応じて生成されるようにしても良い。
【００１０】
こうすれば、画素群内に形成されるドットの数が少ないとき、たとえば２個や３個のときにはドットの数に応じた可変長データに基づいて順序値マトリックスを生成することができるので、データ量を削減することができる。
【００１１】
上記印刷方法において、前記所定の特性は、粒状性評価値を指標として表される特性であっても良い。本明細書で、粒状性評価値とは、粒状性として視覚に認識される画質劣化を表す評価尺度であり、たとえばＲＭＳ粒状度や粒状性指数を含む評価値である。あるいは、前記所定の特性は、ブルーノイズ特性とグリーンノイズ特性のいずれか一方であるようにしても良い。
【００１２】
ここで、ブルーノイズ特性を有する閾値の分布とは、次のような分布をいう。すなわち、そのような閾値の分布を有するディザマトリックスを用いてドットを発生させたときに、ドットを不規則に発生させるとともに、設定されている閾値の空間周波数成分は、１周期が２画素以下の高周波数領域に最も大きな成分を有するような閾値の分布を言う。一方、グリーンノイズ特性を有する閾値の分布とは、次のような分布をいう。すなわち、そのような閾値の分布を有するディザマトリックスを用いてドットを発生させたときに、ドットを不規則に発生させるとともに、設定されている閾値の空間周波数成分は、１周期が２画素から十数画素の中間周波数領域に最も大きな成分を有するような閾値の分布をいう。
【００１３】
本発明は、さらに、ディザマトリックスを用いて印刷媒体上に印刷を行う印刷方法も提供する。本印刷方法は、
元画像を構成する各画素の入力階調値を表す画像データに対して、所定のディザマトリックスを用いてハーフトーン処理を行うことによって、前記印刷媒体上に形成されるべき印刷画像の各印刷画素へのドットの形成状態を表すドットデータを生成するドットデータ生成工程と、
前記ドットデータに応じて、前記各印刷画素にドットを形成して前記印刷画像を生成する印刷画像生成工程と、
を備え、
前記所定のディザマトリックスは、各々が閾値を格納する複数のセルのブロックである複数のローカルマトリックスに分割された行列として構成されており、
前記行列は、前記入力階調値の全部の領域に対して前記ドットの形成状態が所定の特性に近づくように閾値の格納位置が決定された後に、前記入力階調値の一部の領域に対して前記ドットの形成状態が前記所定の特性にさらに近づくように閾値の格納位置が、前記複数のローカルマトリックスの各々の範囲内において変更されていることを特徴とする。
【００１４】
このようなディザマトリックスは、たとえば領域毎に最適化された複数のディザマトリックスとして構成されていても良い。領域毎とは、たとえば入力階調値が０〜２５５の幅を有する場合には、０〜７、８〜１５というように所定の幅を持った領域毎であっても良いし、階調値毎であっても良い。さらに、たとえばハーフトーン処理に起因して画質劣化が生じやすい領域、すなわちドット密度の低い一部の領域のみに対して格納位置の変更を行うようにしても良い。
【００１５】
なお、本願発明のディザマトリックスは、必ずしも複数のディザマトリックスとして構成されている必要はなく、入力階調値の一部の領域に対して所定の特性にさらに近づくように閾値の格納位置が、各画素群に対応する各ローカルマトリックスの範囲内において変更可能となるように構成されていれば良い。
【００１６】
また、特許請求の範囲における「所定のディザマトリックスを用いてハーフトーン処理」とは、広い概念を有し、所定のディザマトリックスに基づいて生成されたデータ（たとえば後述する個数データ変換テーブル（図１２）や順序値マトリックス変換テーブル（図１４））を用いてドットデータを生成する処理も含む。
【００１７】
さらに、上述の実施例や変形例では、ディザマトリックスに設定されている閾値と画像データの階調値とを画素毎に比較することによって、後述する個数データ変換テーブル等を生成しているが、たとえば閾値と階調値の和を固定値と比較してドット形成の有無を判断して各テーブル（図１２、図１４）等を生成するようにしても良い。
【００１８】
なお、本発明は、ディザマトリックス、ディザマトリックス生成装置、ディザマトリックスを用いた印刷装置や印刷方法、印刷物の生成方法といった種々の形態、あるいは、これらの方法または装置の機能をコンピュータに実現させるためのコンピュータプログラム、そのコンピュータプログラムを記録した記録媒体、そのコンピュータプログラムを含み搬送波内に具現化されたデータ信号、等の種々の形態で実現することができる。
【発明を実施するための最良の形態】
【００１９】
以下では、本発明の作用・効果をより明確に説明するために、本発明の実施の形態を次の順序に従って説明する。
Ａ．実施例の概要：
Ｂ．装置構成の例：
Ｃ．本発明の実施例の画像印刷処理の概要：
Ｃ−１．多値化結果値生成処理の概要：
Ｃ−２．ドット形成有無決定処理の概要：
Ｃ−３．ディザ法の概要：
Ｃ−４．分類番号を決定するための考え方：
Ｃ−５．多値化テーブルの設定方法：
Ｃ−６．変換テーブルの設定方法：
Ｃ−７．順序値マトリックスの設定方法：
Ｃ−８．多値化結果値からドット形成有無を適切に決定可能な原理：
Ｃ−９．画素群の位置から分類番号を決定する方法：
Ｄ．変形例：
Ｄ−１．第１の変形例  ：
Ｄ−２．第２の変形例  ：
Ｄ−３．第３の変形例  ：
Ｄ−４．第４の変形例  ：
Ｄ−５：第５の変形例  ：
Ｄ−６：第６の変形例  ：
Ｄ−７：第７の変形例  ：
Ｄ−８：第８の変形例  ：
【００２０】
Ａ．実施例の概要  ：
図１は、印刷システムを例にとって本発明の概要を説明するための説明図である。本印刷システムは、画像処理装置としてのコンピュータ１０と、画像出力装置としてのプリンタ２０等から構成されており、コンピュータ１０に所定のプログラムがロードされて実行されると、コンピュータ１０およびプリンタ２０などが全体として、一体の画像出力システムとして機能する。プリンタ２０は、印刷媒体上にドットを形成することによって画像を印刷する。コンピュータ１０は、印刷しようとする画像の画像データに所定の画像処理を施すことによって、プリンタ２０が画素毎にドットの形成を制御するためのデータを生成して、このプリンタ２０に供給する。
【００２１】
一般的な印刷システムでは、次のようにして画像を印刷する。先ず、コンピュータで所定の画像処理を施すことにより、画像データを、画素毎にドット形成の有無を表すデータに変換する。次いで、得られたデータをプリンタに供給し、プリンタでは供給されたデータに従ってドットを形成することにより画像を印刷している。ここで、印刷しようとする画像の画素数が多くなると、それに伴って、画像処理に要する時間が増加して、画像を迅速に印刷することが困難となる。また、画素数が多くなるにつれて、画素毎にドット形成の有無を表すデータのデータ量が増加するので、コンピュータからプリンタにデータを出力するために要する時間が長くなり、それだけ印刷に要する時間が増加してしまう。
【００２２】
こうした点に鑑みて、図１ に例示した印刷システムでは、次のようにして画像を印刷する。先ず、コンピュータ１ ０ では、画像を構成する画素を互いに隣接した所定個数ずつ画素群としてまとめることで、画像を複数の画素群に分割する。そして、各画素群について、画素群内に形成するドット個数を表す個数データを生成してプリンタ２ ０ に供給する。プリンタ２ ０ に供給された個数データは、ドット形成有無決定モジュールによって処理されることにより、画素群内の各画素についてドット形成の有無を表すデータに変換される。次いで、各画素について決定されたドット形成の有無に従って、ドット形成モジュールが印刷媒体上にドットを形成することによって画像が印刷される。
【００２３】
個数データは、たとえばプリンタ２０が大中小の３種類のドットを形成可能な場合には、各画素群に形成される各種類のドット個数を表すデータとしてコード化される。このようなコード化されたデータは、コード値と呼ばれる。コード値は、情報としてはドット個数を表すデータと等価である。
【００２４】
プリンタ２０では、各画素群についてのコード値を受け取ると、画素群内の各画素についてのドット形成の有無を表すデータ（画素群の出力ドット配置）を決定する。ドット形成の有無は、第２の対応関係を参照しながら、ドット形成有無決定モジュールによって行われる。このようにして得られたドット形成有無の決定結果に従って、ドット形成モジュールがドットを形成することによって画像が印刷される。
【００２５】
ここで、画素毎にドット形成の有無を表すデータに比べれば、画素群毎のコード値は遙かに小さなデータ量とすることができる。従って、コンピュータ１０から画素毎にドット形成の有無を表したデータをプリンタ２０に供給する代わりに、画素毎のコード値を供給してやれば、極めて迅速にデータを転送することが可能となる。
【００２６】
また、コード値は、コンピュータ１０内で次のようにして生成される。先ず、画素群階調値決定モジュールにおいて画素群階調値が決定される。画素群階調値の決定に際しては、たとえば、画素群内の各画素の画像データに基づいて決定することとしてもよい。一方、第１の対応関係記憶モジュールには、画素群階調値とコード値とを対応付けた対応関係（第１の対応関係）が、画素群の分類番号毎に記憶されている。ここで画素群の分類番号は、各画素群を画像中での位置に応じて複数種類に分類することによって設定することもできるし、また、画像がいつも同じように分割される場合などには、各画素群毎に予め適切な分類番号を付与しておくこともできる。更に、簡便には、乱数などを用いてランダムに分類番号を付与することも可能である。コード化モジュールは、画素群の画素群階調値を受け取ると、第１の対応関係記憶モジュールの中から、画素群に応じた対応関係を参照することによって、画素群階調値をコード値に変換する。
【００２７】
このように対応関係を参照しながらコード値を生成しているために、画素群階調値を極めて迅速にコード化することができる。このため、生成したコード値をプリンタ２０に迅速に供給可能なことと相まって、たとえ画素数の多い画像であっても迅速に画像を印刷することが可能となる。また、対応関係を参照して画素群階調値をコード化すれば、極めて簡素な処理でコード値を生成することができる。このため、画素群階調値をコード化するためには、コンピュータ１０のような高度な処理能力を有する機器を用いずとも、たとえばプリンタ２０あるいはデジタルカメラなどの内部でもコード値を得ることが可能となる。更に、第２の対応関係を参照することで、コード値から直ちに画素群の出力ドット配置が得られるので、ドット形成の有無を迅速に決定することができる。加えて、対応関係を参照するという簡素な処理で、出力ドット配置を決定することができるので、コンピュータ１０のような高度な処理能力を有する機器を用いずとも、画素群の出力ドット配置、すなわち画素毎のドット形成の有無を迅速に決定することが可能となる。
【００２８】
しかし、本願の発明者は、このような構成が単に印刷処理速度を向上させるだけでなく、印刷装置の処理負担を過大とすることなく、従来のディザ法や誤差拡散法の限界を超える新たなハーフトーン処理を可能とする点に着目した。
【００２９】
従来のディザ法や誤差拡散法は、本来的に以下の限界を有している。ディザ法は、ディザマトリックスの閾値の格納要素の適切な配置によってドットの形成状態を直接的に制御できるという利点がある一方、想定される入力階調値の全域を評定として閾値の格納要素が配置されなければならないという限界を有している。すなわち、入力階調値の一部領域に対して閾値の格納要素の配置を最適化させると、他の領域において最適状態から離れてしまうので入力階調値の全域に対する妥協が必要となってしまうのである。一方、誤差拡散法は、誤差の拡散によってドットを分散させるので上記妥協を行うことなくドットの分散性は確保することができる一方、ドットの形成状態を直接的に制御することが困難であるとともに処理負担が大きいという問題を有している。
【００３０】
このような限界を超えるハーフトーン技術は、各画素群において各ドット個数毎にドットの形成状態を自由に制御できる構成として以下のように実現することができる。
【００３１】
Ｂ．装置構成の例  ：
図２は、本実施例の画像処理装置としてのコンピュータ１００の構成を示す説明図である。コンピュータ１００は、ＣＰＵ１０２を中心に、ＲＯＭ１０４やＲＡＭ１０６などが、バス１１６で互いに接続して構成された周知のコンピュータである。
【００３２】
コンピュータ１００には、フレキシブルディスク１２４やコンパクトディスク１２６等のデータを読み込むためのディスクコントローラＤＤＣ１０９や、周辺機器とデータの授受を行うための周辺機器インターフェースＰＩＦ１０８、ＣＲＴ１１４を駆動するためのビデオインターフェースＶＩＦ１１２等が接続されている。ＰＩＦ１０８には、後述するカラープリンタ２００や、ハードディスク１１８等が接続されている。また、デジタルカメラ１２０やカラースキャナ１２２等をＰＩＦ１０８に接続すれば、デジタルカメラ１２０やカラースキャナ１２２で取り込んだ画像を印刷することも可能である。また、ネットワークインターフェースカードＮＩＣ１１０を装着すれば、コンピュータ１００を通信回線３００に接続して、通信回線に接続された記憶装置３１０に記憶されているデータを取得することもできる。
【００３３】
図３は、本実施例のカラープリンタ２００の概略構成を示す説明図である。カラープリンタ２００はシアン，マゼンタ，イエロ，ブラックの４色インクのドットを形成可能なインクジェットプリンタである。もちろん、これら４色のインクに加えて、染料または顔料濃度の低いシアン（淡シアン）インクと、染料または顔料濃度の低いマゼンタ（淡マゼンタ）インクとを含めた合計６色のインクドットを形成可能なインクジェットプリンタを用いることもできる。なお、以下では場合によって、シアンインク，マゼンタインク，イエロインク，ブラックインク，淡シアンインク，淡マゼンタインクのそれぞれを、Ｃインク，Ｍインク，Ｙインク，Ｋインク，ＬＣインク，ＬＭインクと略称することがあるものとする。
【００３４】
カラープリンタ２００は、図示するように、キャリッジ２４０に搭載された印字ヘッド２４１を駆動してインクの吐出およびドット形成を行う機構と、このキャリッジ２４０をキャリッジモータ２３０によってプラテン２３６の軸方向に往復動させる機構と、紙送りモータ２３５によって印刷用紙Ｐを搬送する機構と、ドットの形成やキャリッジ２４０の移動および印刷用紙の搬送を制御する制御回路２６０などから構成されている。
【００３５】
キャリッジ２４０には、Ｋインクを収納するインクカートリッジ２４２と、Ｃインク，Ｍインク，Ｙインクの各種インクを収納するインクカートリッジ２４３とが装着されている。インクカートリッジ２４２，２４３をキャリッジ２４０に装着すると、カートリッジ内の各インクは図示しない導入管を通じて、印字ヘッド２４１の下面に設けられた各色毎のインク吐出用ヘッド２４４ないし２４７に供給される。
【００３６】
図４は、インク吐出用ヘッド２４４ないし２４７におけるインクジェットノズルＮｚの配列を示す説明図である。図示するように、インク吐出用ヘッドの底面には、Ｃ，Ｍ，Ｙ，Ｋの各色のインクを吐出する４組のノズル列が形成されており、１組のノズル列あたり４８個のノズルＮｚが、一定のノズルピッチｋで配列されている。
【００３７】
制御回路２６０は、ＣＰＵや、ＲＯＭ、ＲＡＭ、ＰＩＦ（周辺機器インターフェース）等がバスで相互に接続されて構成されている。制御回路２６０は、キャリッジモータ２３０および紙送りモータ２３５の動作を制御することによってキャリッジ２４０の主走査動作および副走査動作を制御するとともに、コンピュータ１００から供給される印刷データに基づいて、各ノズルから適切なタイミングでインク滴を吐出する制御を行う。こうして、制御回路２６０の制御の下、印刷媒体上の適切な位置に各色のインクドットを形成することによって、カラープリンタ２００はカラー画像を印刷することができる。
【００３８】
また、本実施例のカラープリンタ２００は、吐出するインク滴の大きさを制御することにより、インクドットの大きさを制御することが可能である。以下、カラープリンタ２００が大きさの異なるインクドットを形成する方法について説明するが、その準備として、先ず、各色インクを吐出するノズルの内部構造について説明する。
【００３９】
図５（ａ）は、インクを吐出するノズルの内部構造を示した説明図である。各色のインク吐出用ヘッド２４４ないし２４７には、このようなノズルが複数設けられている。図示するように、各ノズルにはインク通路２５５と、インク室２５６と、インク室の上にピエゾ素子ＰＥとが設けられている。キャリッジ２４０にインクカートリッジ２４２，２４３を装着すると、カートリッジ内のインクがインクギャラリ２５７を経由してインク室２５６に供給される。ピエゾ素子ＰＥは、周知のように電圧を印加すると結晶構造が歪んで極めて高速に電気−機械エネルギの変換を行う素子である。本実施例では、ピエゾ素子ＰＥの両端に設けられた電極間に所定波形の電圧を印加することで、インク室２５６の側壁を変形させる。その結果、インク室２５６の容積が減少し、容積の減少分に相当するインクがインク滴ＩｐとなってノズルＮｚから吐出される。このインク滴Ｉｐがプラテン２３６に装着された印刷用紙Ｐに染み込むことで、印刷用紙上にインクドットが形成される。
【００４０】
図５（ｂ）は、ピエゾ素子ＰＥに印加する電圧波形を制御することで、吐出するインク滴の大きさを変更する原理を示した説明図である。ノズルからインク滴Ｉｐを吐出するためには、ピエゾ素子ＰＥに府の電圧を印加してインクギャラリ２５７からインク室２５６内に一旦インクを吸入し、その後、ピエゾ素子ＰＥに正電圧を印加してインク室容積を減少させて、インク滴Ｉｐを吐出させる。ここで、インクの吸引速度が適切であればインク室容積の変化量に相当するインクが吸入されるが、吸引速度が速すぎると、インクギャラリ２５７とインク室２５６との間には通路抵抗があるためにインクギャラリ２５７からのインクの流入が間に合わなくなる。その結果、インク通路２５５のインクがインク室内に逆流して、ノズル付近のインク界面が大きく後退した状態となる。図５（ｂ）に実践で示した電圧波形ａは、適正な速度でインクを吸引する波形を示し、破線で示した電圧波形ｂは適切速度より大きな速度で吸引する波形の一例を示している。
【００４１】
十分なインクがインク室２５６内に供給された状態で、ピエゾ素子ＰＥに正電圧を印加すると、インク室２５６の容積減少に相当する体積のインク滴ＩｐがノズルＮｚから吐出される。これに対して、インクの供給量が不足してインク界面が大きく後退した状態で正電圧を印加すると、吐出されるインク滴は小さなインク滴となる。このように、本実施例のプリンタ２００では、インク滴の吐出前に印加する府の電圧波形を制御してインクの吸引速度を変更することで、吐出するインク滴の大きさを制御し、大ドット、中ドット、小ドットの３種類のインクドットを形成することが可能となっている。
【００４２】
もちろん、３種類に限らずより他種類のドットを形成することも可能である。更には、微細なインク滴を一度に複数吐出して、吐出するインク滴の数を制御するといった方法を用いて、印刷用紙上に形成されるインクドットの大きさを制御してもよい。このようにしてインクドットの大きさを制御すれば、印刷しようとする画像の領域に応じて異なる大きさのインクドットを使い分けてやることで、より高画質の画像を印刷することも可能となる。
【００４３】
なお、各色のインク吐出ヘッドからインク滴を吐出する方法には、種々の方法を適用することができる。すなわち、ピエゾ素子を用いてインク滴を吐出する方式や、インク通路に配置したヒータでインク通路内に泡（バブル）を発生させてインク滴を吐出する方法などを用いることができる。また、インク滴を吐出する代わりに、熱転写などの現象を利用して印刷用紙上にインクドットを形成する方式や、静電気を利用して各色のトナー粉を印刷媒体上に付着させる方式のプリンタを使用することも可能である。
【００４４】
以上のようなハードウェア構成を有するカラープリンタ２００は、キャリッジモータ２３０を駆動することによって、各色のインク吐出用ヘッド２４４ないし２４７を印刷用紙Ｐに対して主走査方向に移動させ、また紙送りモータ２３５を駆動することによって、印刷用紙Ｐを副走査方向に移動させる。制御回路２６０は、キャリッジ２４０の主走査および副走査の動きに同期させながら、適切なタイミングでノズルを駆動してインク滴を吐出することによって、カラープリンタ２００は印刷用紙上にカラー画像を印刷している。
【００４５】
なお、カラープリンタ２００にも、制御回路２６０内にはＣＰＵ，ＲＡＭ，ＲＯＭなどが搭載されていることから、コンピュータ１００が行う処理をカラープリンタ２００内で実施することも可能である。このような場合は、デジタルカメラ１２０などで撮影した画像の画像データをカラープリンタ２００に直接供給して、制御回路２６０内で必要な画像処理を実施することにより、カラープリンタ２００から直接画像を印刷することも可能となる。
【００４６】
Ｃ．本発明の実施例の画像印刷処理の概要  ：
図６は、本発明の実施例の画像印刷処理の全体的な流れを示すフローチャートである。図示されているように、画像印刷処理を開始すると先ず初めに、コンピュータ１００が画像データの読み込みを開始する（ステップＳ１００）。ここでは、画像データはＲＧＢカラー画像データであるものとして説明するが、カラー画像データに限らず、モノクロ画像データについても同様に適用することができる。また、カラープリンタに限らず単色プリンタについても同様に適用することが可能である。
【００４７】
カラー画像データの読み込みに続いて、色変換処理を行う（ステップＳ１０２）。色変換処理とは、Ｒ，Ｇ，Ｂの階調値の組合せによって表現されているＲＧＢカラー画像データを、印刷のために使用されるインク各色についての階調値の組合せによって表現された画像データに変換する処理である。前述したように、カラープリンタ２００はＣ，Ｍ，Ｙ，Ｋの４色のインクを用いて画像を印刷している。そこで、色変換処理ではＲＧＢ各色によって表現された画像データを、Ｃ，Ｍ，Ｙ，Ｋの各色の階調値によって表現されたデータに変換する。色変換処理は、色変換テーブル（ＬＵＴ）と呼ばれる３次元の数表を参照することで行う。ＬＵＴには、ＲＧＢカラー画像データに対して、色変換によって得られるＣ，Ｍ，Ｙ，Ｋ各色の階調値が予め記憶されている。ステップＳ１０２の処理では、このＬＵＴを参照することにより、ＲＧＢカラー画像データをＣ，Ｍ，Ｙ，Ｋ各色の画像データに迅速に色変換することが可能となっている。
【００４８】
色変換処理を終了すると、解像度変換処理を開始する（ステップＳ１０４）。解像度変換処理とは、画像データの解像度を、プリンタ２００が画像を印刷する解像度（印刷解像度）に変換する処理である。画像データの解像度が印刷解像度よりも低い場合は、補間演算を行って画素間に新たな画像データを生成し、逆に画像データの解像度が印刷解像度よりも高い場合には、一定の割合でデータを間引くことによって、画像データの解像度を印刷解像度に一致させる処理を行う。
【００４９】
以上のようにして解像度を印刷解像度に変換したら、コンピュータ１００は、多値化結果値生成処理を開始する（ステップＳ１０６）。多値化結果値生成処理の詳細な内容は後ほど詳しく説明することとして、ここでは概要のみを説明する。多値化結果値生成処理では、隣接する画素を所定個数ずつ画素群としてまとめることにより、１つ画像を複数の画素群に分割する。画素群としてまとめられ画素数は、必ずしも全ての画素群が同数である必要はなく、たとえば、複数の画素数を規則的に切り換えたり、あるいは画像中での位置に応じて画素群にまとめられる画素数を切り換えることも可能であるが、ここでは理解の便宜から、最も単純な場合として全画素群が同数の画素を有するものとして説明する。こうして複数の画素を画素群にまとめて、各画素群を代表する階調値である画素群階調値を求めた後、画素群階調値の多値化を行う。その結果、画素群毎の画素群階調値が多値化結果値に変換されることになる。
【００５０】
ここで、本実施例の多値化結果値生成処理では、多値化の結果として取り得る状態数が画素群毎に異なっている。すなわち、一般的に行われる多値化では、たとえば１つの画像中で２値化と３値化とが切り換わることはないが、本実施例の多値化結果値生成処理では、画素群毎に多値化の段数が異なっている。そして、画素群階調値を、画素群毎に個数の段数で多値化して得られた結果値を、カラープリンタ２００に向かって出力する。このように画素群階調値を、画素群毎に固有の段数で多値化して、得られた結果を出力することとすれば、カラープリンタ２００に出力すべきデータ量を大きく低減することができる。
【００５１】
カラープリンタ２００の制御回路２６０に内蔵されたＣＰＵは、コンピュータ１００から画素群毎に供給された多値化結果値のデータを受け取ると、ドット形成有無決定処理を開始する（ステップＳ１０８）。上述したように、多値化結果値は、画素群階調値を多値化して得られた値であり、画素群内でいずれの画素にドットを形成すればよいかを示した値ではない。画素群の多値化結果値からドットを形成する画素位置を決定する手法としては、いわゆる濃度パターン法と呼ばれる手法が知られているが、本実施例の多値化結果値は画素群毎に固有の段数で多値化されており、濃度パターン法をそのまま適用することはできない。そこで、本発明の実施例のドット形成有無決定処理では、後述するような特殊な方法を用いることにより、画素群毎に得られた多値化結果値からドットを形成する画素位置を決定する。
【００５２】
また、いわゆる濃度パターン法では、実質的な解像度が、多値化を行った画素群の解像度まで低下してしまい、画質の悪化を招き易い傾向があった。これに対して、本発明の実施例のドット形成有無決定処理によれば、後述するように画素群の大きさに依存して画質が悪化することがない。更に、いわゆるブルーノイズマスク、あるいはグリーンノイズマスクと呼ばれるディザマトリックスを用いることで実現されるような、ドットが良好に分散した高画質な画像を印刷することが可能となる。本発明の実施例のドット形成有無決定処理の詳細な内容、および、かかる処理を適用してドット形成の有無を決定することで、こうした特性が得られる理由については、後ほど詳しく説明する。
【００５３】
以上のようにして、ドットを形成すべき画素位置を決定したら、決定した画素位置にドットを形成する処理を行う（ステップＳ１１０）。すなわち、図３を用いて説明したように、キャリッジ２４０の主走査および副走査を繰り返しながらインク吐出用ヘッドを駆動してインク滴を吐出することにより、印刷用紙上にインクのドットを形成する。こうしてドットを形成することにより、画像データに対応した画像が印刷されることになる。
【００５４】
Ｃ−１．多値化結果値生成処理の概要  ：
図７は、上述した本発明の実施例の画像印刷処理で行われる多値化結果値生成処理の流れを示すフローチャートである。ここでは、多値化結果値生成処理はコンピュータ１００で実施されるものとして説明するが、後述するように、多値化結果値生成処理は極めて簡素な処理とすることができるから、カラープリンタ２００あるいはデジタルカメラ１２０内で実施することも可能である。以下、フローチャートに従って説明する。
【００５５】
本実施例の多値化結果値生成処理を開始すると、先ず初めに、互いに隣接する所定個数の画素をまとめて画素群を生成する（ステップＳ１３０）。ここでは、主走査方向に４画素分、副走査方向に２画素分の合計８つの画素を画素群にまとめるものとする。なお、画素群としてまとめる画素は、このように矩形状に縦横の位置が揃った画素である必要はなく、互いに隣接し且つ所定の位置関係にあればどのような画素を画素群としてまとめても良い。
【００５６】
次いで、画素群階調値と、画素群の分類番号とを決定する（ステップＳ１３２）。画素群階調値とは、画素群を代表する階調値であり、次のようにして簡単に求めることができる。たとえば、画素群内の各画素に割り当てられた画像データの平均値を求めて画素群階調値とすることができる。あるいは、画素群の中で最も多くの画素に割り当てられた画像データ、更には、画素群内で特定の位置にある画素の画像データを画素群階調値とすることも可能である。
【００５７】
また、画素群の分類番号は、次のようにして極めて簡便に決定することができる。図８は、画素群の分類番号を決定する方法を示した説明図である。図８（ａ）は、画像中で８つの画素をまとめて生成された１つの画素群を表している。以下では、この画素群についての分類番号を決定する方法について説明する。なお、図８（ａ）に示すような、分類番号を決定するために着目している画素群を、着目画素群と呼ぶことにする。
【００５８】
今、画像の一番左上隅を原点に取って、原点からの主走査方向および副走査方向への画素数によって画素位置を表すものとする。また、画素群の位置は、画素群の左上隅にある画素の画素位置によって表すものとする。図８（ａ）では、着目画素群の位置を示す画素に黒丸を付して表示している。この画素の画素位置が（Ｘ，Ｙ）であったとする。着目画素群の分類番号は、Ｘ，Ｙを２進数表示して、所定のビットに記憶されているデータを読み出すだけで、極めて容易に決定することができる。たとえば、図８（ｂ）に示すように、着目画素群の位置を表すＸ，Ｙがそれぞれ１０ビットデータであったとする。そして、Ｘの最上位の４ビット目から８ビット目までのデータを読み出して得られた値をＮとし、Ｙの最上位の４ビット目から８ビット目までのデータを読み出して得られた値をＭとする。すると、本実施例の場合は、
Ｎ＋（Ｍ−１）×３２  ...（１）
を算出することによって、画素群の分類番号を簡単に決定することができる。このようにして画素群の分類番号を決定可能な理由については後述する。
【００５９】
こうして、画素群の分類番号と画素群階調値とを決定したら、後述する多値化テーブルを参照することによって、画素群階調値を多値化する（ステップＳ１３４）。図９は、多値化に際して参照される多値化テーブルを概念的に示した説明図である。図示されているように、多値化テーブルには、画素群の分類番号毎に、画素群階調値に対する多値化結果値が対応づけて記憶されており、多値化結果値は、画素群階調値が増加するに従って段階的に増加していく。
【００６０】
図１０は、画素群階調値が増加するに従って多値化結果値が段階的に増加していく様子を例示した説明図である。図では、横軸に画素群階調値を取り、縦軸の多値化結果値を取った折れ線グラフを用いて、画素群階調値に対する多値化結果値を表示している。なお、図中では、異なる分類番号Ｎ１〜Ｎ５を有する５つの画素群についての多値化結果を示しているが、これら画素群の折れ線が重なって判別し難くなることを避けるために、多値化結果値の原点位置を縦軸方向に少しずつ、ずらして表示している。
【００６１】
一例として、図中に太い実線で示した分類番号Ｎ１番の画素群について説明すると、画素群階調値が０〜４の範囲では、多値化結果値は「０」であるが、画素群階調値が５〜２０の範囲では多値化結果値は「１」に増加する。次いで、画素群階調値が２１〜４２の範囲では多値化結果値は「２」に増加し、画素群階調値が４３〜６９の範囲では多値化結果値は「３」に増加する。このように、画素群階調値が増加するに従って、多値化結果値も段階的に増加していき、最終的には、多値化結果値は「１５」まで増加する。すなわち、分類番号Ｎ１番の画素群については、階調値０〜２５５の範囲を取り得る画素群階調値を、階調値０〜１５までの１６段階に多値化（言わば、１６値化）していることになる。
【００６２】
同様に、図中で太い破線で示した分類番号Ｎ２番の画素群や、太い一点鎖線で示した分類番号Ｎ３番の画素群については、階調値０〜２５５の範囲を取り得る画素群階調値を、階調値０〜１７までの１８段階に多値化（言わば、１８値化）している。更に、細い実線で示した分類番号Ｎ４番の画素群および細い一点鎖線で示した分類番号Ｎ５番の画素群については、画素群階調値を階調値０〜２０までの２１段階に多値化（言わば、２１値化）していることになる。このように、本実施例の多値化結果値生成処理では、各画素群の多値化の段数（多値化の結果として取り得る状態数）が同じではなく、画素群の分類番号に応じて固有の段数で多値化されている。この結果、同じ画素群階調値を多値化した場合でも、画素群の分類番号が異なり、そのため多値化の段数が異なっていれば、異なる結果値に多値化されることになる。
【００６３】
また、多値化段数が同じであったとしても、同じ多値化結果値が得られるわけではない。たとえば、図１０に示した分類番号Ｎ２の画素群と、分類番号Ｎ３の画素群とを比較すれば明らかなように、これら画素群についての多値化段数はいずれも１８段であるが、多値化結果値が切り換わる画素群階調値は多くの場合、一致していない。分類番号Ｎ４の画素群と分類番号Ｎ５の画素群とについても同様に、これら画素群の多値化段数はいずれも２１段であるが、多値化結果値が切り換わる画素群階調値は一致していないことが多い。このことから、例え画素群の多値化段数が同じでも、分類番号が異なれば、異なる多値化結果値が得られることになる。
【００６４】
図９に示した多値化テーブルには、画素群階調値に対する多値化結果値が画素群の分類番号毎に記憶されている。そして、画素群階調値と多値化結果値との対応関係は、図１０に示したように、分類番号毎に固有の対応関係となっている。図７に示した多値化結果値生成処理のステップＳ１３４では、このような多値化テーブルを参照して画素群階調値を多値化することにより、画素群毎に多値化結果値を生成する処理を行う。なお、図９に示す多値化テーブルの設定方法については、後ほど詳しく説明する。
【００６５】
以上のようにして、複数の画素を画素群にまとめて、その画素群の多値化結果値を生成したら、全画素について処理を終了したか否かを判断する（ステップＳ１３６）。そして、未処理の画素が残っている場合は（ステップＳ１３６：ｎｏ）、ステップＳ１３０に戻って新たな画素群を生成し、後述する一連の処理を行うことにより、その画素群についての多値化結果値を生成する。こうした操作を繰り返し、全画素についての処理を終了したと判断されたら（ステップＳ１３６：ｙｅｓ）、各画素群について得られた多値化結果値をカラープリンタ２００に出力した後（ステップＳ１３８）、図７の多値化結果値生成処理を終了する。
【００６６】
このように、画素群毎に多値化結果値を出力してやれば、画素毎にドット形成の有無を表すデータを出力する場合よりも、カラープリンタ２００に供給すべきデータ量を大幅に減少させることができる。以下では、この点について説明する。
【００６７】
本実施例では、大ドット、中ドット、小ドットの３種類のドットを形成可能としているから、ドットを形成しない場合も含めると、画素毎に４つの状態を取り得ることになり、従って、ドット形成の有無を表すためには１画素あたり２ビットのデータ量が必要となる。また、本実施例では、１つの画素群は８つの画素で構成されているものとしているから、画素毎にドット形成の有無を表そうとすると、画素群あたり１６ビット（＝２ビット×８画素）のデータ量が必要となる。
【００６８】
一方、図７に示した多値化結果値生成処理では、画素群の分類番号によって異なるものの、多値化の段数は１５〜２１程度となっている（図９、図１０を参照のこと）。画素群毎に多値化の段数を決定する方法については後述するが、多値化の段数は、多く見積もっても３０を越えることはないと考えられる。従って、画素群の多値化結果値であれば、１画素群あたり５ビットのデータ量があれば十分に表現することが可能である。前述したように、画素毎にドット形成の有無を表す場合には画素群あたり１６ビットのデータ量が必要となることから、画素群階調値を多値化して得られた結果値を出力することにすれば、カラープリンタ２００に出力すべきデータ量を１／３以下に減少させることができる。この様に、本実施例の画像印刷処理では、画素群の多値化結果値を出力しているため、データ量を大きく減少させることができ、カラープリンタ２００に迅速にデータを出力することが可能となっている。
【００６９】
カラープリンタ２００は、こうしてコンピュータ１００から多値化結果値を受け取ると、以下に説明するドット形成有無決定処理を行うことにより、画素群内の各画素についてドット形成の有無を決定する。
【００７０】
Ｃ−２．ドット形成有無決定処理の概要  ：
図１１は、前述した本発明の実施例の画像印刷処理で行われるドット形成有無決定処理の流れを示すフローチャートである。かかる処理は、コンピュータ１００から画素群毎に多値化結果値を受け取った後、カラープリンタ２００によって実行される処理である。以下、図１１のフローチャートに従って説明する。
【００７１】
本発明の実施例のドット形成有無決定処理を開始すると、先ず初めに、処理対象とする画素群を１つ選択し、選択した画素群の多値化結果値を取得する（ステップＳ１６０、Ｓ１６２）。次いで、画素群の多値化結果値を、その画素群に形成するドット個数を表すデータに変換する（ステップＳ１６４）。ここで、図９および図１０に示したように、多値化結果値は、画素群の分類番号が異なれば、例え画素群階調値が同じであっても異なった値を取る。このことから明らかなように、画素群の多値化結果値は、同じ分類番号の画素群との間でのみ結果値の大小を比較することが可能であり、分類番号が異なる画素群については、多値化結果値を比較することができないデータとなっている。
【００７２】
そこで、画素群の分類番号に依存する多値化結果値を、分類番号に依存しない多値化結果値に変換することを考える。多値化結果値を分類番号に依存しない値に変換してやれば、全ての画素群についての多値化結果値の大小を比較することができるので、それぞれの変換値の序列に応じて、大ドット・中ドット・小ドットの適切な形成個数、すなわちドット個数を表すデータを対応付けることが可能となる。
【００７３】
図１１のステップＳ１６４では、このような考え方に基づいて、画素群の分類番号に依存する多値化結果値を、画素群に形成するべきドットの個数を示すデータに変換する。実際の変換は、画素群の分類番号と多値化結果値との組合せ毎に、適切なドット個数のデータを予め設定しておいた変換テーブルを参照するだけで、極めて迅速に行うことができる。
【００７４】
図１２は、画素群の分類番号と多値化結果値との組合せを、ドット個数を示すデータに変換する際に参照される変換テーブルを概念的に示した説明図である。図示されているように、変換テーブルには、多値化結果値に対応するドット個数のデータが、分類番号毎に設定されている。一例として、分類番号１番の画素群について説明すると、多値化結果値０に対しては、ドット個数のデータとして「０」が設定されている。このドット個数データ「０」は、大ドット、中ドット、小ドットの形成個数がいずれも０個であることを表したコード値である。また、多値化結果値１に対しては、ドット個数のデータとして「１」が設定されている。ドット個数データ「１」は、大ドット、中ドットの形成個数は０個であり、小ドットの形成個数が１個であることを表すコード値である。更に、多値化結果値１５に対してはドット個数データ「１６４」が設定されている。ドット個数データ「１６４」は、大ドットを８個形成し、中ドットおよび小ドットは形成しないことを表すコード値である。
【００７５】
このように、変換テーブルには、ドット個数を示すデータはコード化されたデータであるコード値として設定されている。すなわち個数データは、直接的にドット個数を表すものでなくても、何らかの方法で、ドット個数を特定可能であれば、どのような形態のデータとすることもできる。また、分類番号１番の画素群については、「１６」より大きな多値化結果値に対してはドット個数を示すデータが設定されていない。これは、分類番号１番の画素群は多値化段数が１６段であり、多値化結果値は０〜１５の値しか取り得ないことに対応するものである。従って、分類番号２番の画素群のように多値化段数が１８段の画素群については、０〜１７の多値化結果値に対してのみドット個数を示すデータが設定され、「１８」より大きな多値化結果値に対しては、ドット個数を示すデータが設定されることはない。
【００７６】
図１３は、コード化された個数データと、各コード値が表す大ドット・中ドット・小ドットの個数の組合せとの対応関係を示した説明図である。このように、各種ドットの個数をコード化して扱っているのは、次のような理由によるものである。
【００７７】
ここでは、１つの画素群は８つの画素をまとめて構成されているものとしているから、大ドット、中ドット、小ドットの形成個数は、それぞれ０〜８個の値を取り得る。従って、各ドットの個数をコード化せずに、そのまま表現しようとすると、大ドットの個数、中ドットの個数、小ドットの個数を表すためにそれぞれ４ビットずつ、合計では１２ビットのデータ量が必要となる。
【００７８】
一方、１つの画素群は８つの画素から構成されているから、画素群に形成され得るドット個数の合計は、最大でも８個である。たとえば、大ドットが４個、中ドットが３個、小ドットが２個といったドット個数の組合せは、ドット個数の合計が９個となって８個を越えてしまうので現実には発生し得ない。こうした点に着目すれば、現実に発生し得るドット個数の組合せは、それほど多くの種類はないと考えられる。実際に算出すれば、次のようになる。画素群には８つの画素が含まれており、各画素についてみれば「大ドットを形成する」、「中ドットを形成する」、「小ドットを形成する」、「ドットを形成しない」の４つの状態を取り得る。従って、画素群に形成し得るドット個数の組合せは、これら４つの状態を、重複を許して８回選択した時の組合せの数に等しくなるから、
４Ｈ８（＝４＋８−１Ｃ８）
によって求められ、結局、最大でも１６５通りの組合せしか出現しないことになる。ここで、ｎＨｒは、ｎ個の物の中から重複を許してｒ回選択するときの重複組合せ数を求める演算子である。また、ｎＣｒは、ｎ個の物の中から重複を許さずにｒ回選択するときの組合せ数を求める演算子である。１６５通りの組合せであれば、８ビットあれば表現することができる。従って、現実に発生し得るドット個数の組合せにコード番号を設定しておけば、画素群に形成すべきドット個数の組合せを８ビットのデータで表すことができる。結局、ドット個数の組合せをコード化しておくことで、ドットの種類毎に形成個数を表した場合よりも、必要なデータ量を低減することが可能となる。このような理由から、個数データを図１３に示したようにコード化して表現することとして、図１２に示した変換テーブルでは、分類番号毎の多値化結果値に対して、コード化されたドット個数のデータが設定されているのである。なお、図１２に示すような変換テーブルを設定する方法については、別図を用いて後ほど詳しく説明する。
【００７９】
図１１に示したドット形成有無決定処理では、図１２に示した変換テーブルを参照することにより、画素群の多値化結果値を、ドット個数を表すコード値に変換する処理を行う。なお、図１２に示した変換テーブルを参照するためには、多値化結果値に加えて、画素群の分類番号が必要となる。ここで、図８を用いて前述したように、本実施例においては、画素群の分類番号は画像中での画素群の位置に基づいて決定されている。多値化結果値は画素群毎に供給されるから、多値化結果値が供給される順序に基づいて、処理しようとする多値化結果値の画素群が画像上でどの位置にあるかを知ることができ、これにより分類番号を簡単に決定することが可能である。画像上での画素群の位置に応じて分類番号を決定する方法については、後述する。なお、コンピュータ１００からカラープリンタ２００に向けて、多値化結果値とともに分類番号を出力してもよいことは言うまでも無い。
【００８０】
次いで、画素群に対応する順序値マトリックスを生成する処理を行う（ステップＳ１６６）。ここで、順序値マトリックスとは、画素群内の各画素について、ドットが形成される順番を設定したマトリックスである。図１４は、順序値マトリックスを生成するための位置番号を取得するための位置番号取得テーブルを示す説明図である。図１５は、位置番号から順序値マトリックスを生成する方法を示す説明図である。
【００８１】
具体的には、たとえば分類番号が１で多値化結果値が１であるときの順序値マトリックスは、以下のようにして生成される。先ず、分類番号「１」と多値化結果値「１」とに基づいて位置番号取得テーブル（図１４）から位置番号「６」が取得される。次に、取得された位置番号「６」と、順序値マトリックス生成の基準として予め準備された基準位置マトリックスＰＯＳ（図１５）とに基づいて、順序値マトリックスＯｒｄ１が生成される。位置番号「６」は、基準位置マトリックスＰＯＳにおいて「６」の値が格納されたセルに対応する画素にのみドットが形成されることを意味する値である。
【００８２】
たとえば分類番号が１で多値化結果値が１５であるときの順序値マトリックスは、同様に位置番号「６１３５７０４２」と、順序値マトリックス生成の基準として予め準備された基準位置マトリックスＰＯＳとに基づいて、順序値マトリックスＯｒｄ６が生成される。位置番号「６１３５７０４２」は、基準位置マトリックスＰＯＳにおけるドットの形成順序を示している。位置番号の最初の桁の数値「６」は、基準位置マトリックスＰＯＳにおいて最初にドットの形成される位置を示し、また、位置番号の最初の桁の数値「１３５７０４２」は、それぞれ２番目から８番目にドットの形成される位置を示している。
【００８３】
このように、多値化結果値から直接的に順序値マトリックスを生成せずに、基準位置マトリックスＰＯＳに基づいて位置番号から順序値マトリックスを生成するように構成されているのはデータ量を削減するためである。こうすれば、ドット個数が少ないとき、たとえばドット個数が１個のときには１個の数字（上述の例では「６」）を表すデータで順序値マトリックスを生成することができるからである。
【００８４】
図１６は、分類番号が１番の順序値マトリックスを示す説明図である。この例では、多値化結果値が「１」のときは、１個のドットの形成位置が示される順序値マトリックスＯｒｄ１が生成され、また、多値化結果値が「２」「３」のときは、それぞれ２個、３個のドットの形成位置が示される順序値マトリックスＯｒｄ２、Ｏｒｄ３が生成される。多値化結果値が「４」〜「１０」のときは、４個のドットの形成位置が示される同一の順序値マトリックスＯｒｄ４が生成される。多値化結果値が「１１」、「１２」のときは、５個のドットの形成位置が示される同一の順序値マトリックスＯｒｄ５が生成される。多値化結果値が「１３」〜「１５」のときは、８個のドットの形成位置が示される同一の順序値マトリックスＯｒｄ６が生成される。
【００８５】
このように、本実施例では、多値化結果値に応じて順序値マトリックスが生成されるので、ドット個数だけでなくドット配置についても入力階調値に応じて自由に設定できることが分かる。この特徴は、従来のディザ法では実現できなかったハーフトーン処理を実現することができるが、この点につては後に詳述する。
【００８６】
本発明の実施例のカラープリンタ２００に搭載されたＲＯＭには、図１４と図１５に例示したような順序値マトリックス変換テーブルと基準位置マトリックスＰＯＳとが予め記憶されている。なお、画素群の分類番号と多値化結果値とに応じて順序値マトリックスを設定する方法については、別図を用いて詳しく説明する。
【００８７】
図１７（ａ）（ｂ）は、ドット個数のデータと順序値マトリックスとを用いて、画素群内で各種ドットを形成する画素を決定している様子を概念的に表した説明図である。たとえば、図１７（ａ）に示されるように、画素群に形成すべきドット個数を示すコード値が、小ドット１個のみ、すなわち、大ドット０個、中ドット０個、小ドット１個の組合せを表し、順序値マトリックスＯｒｄ１が生成されていたものとする。このような場合には、小ドットの形成位置のみが決定される。図１７（ａ）では、小ドットの形成位置に粗い斜線を付して表示している。
【００８８】
一方、図１７（ｂ）に示されるように、たとえば、画素群に形成すべきドット個数を示すコード値が、大ドット１個、中ドット２個、小ドット１個の組合せを表していたものとすると順序値マトリックスに基づいて大中小の順にドットの形成位置が決定される。図１１のステップＳ１６８では、このようにしてドット個数のデータと順序値マトリックスとに基づいて、大ドットを形成する画素を決定する処理を行う。大ドットが形成される画素には、細かい斜線を付して表示している。
【００８９】
大ドットを形成する画素を決定したら、続いて中ドットを形成する画素を決定する（図１１のステップＳ１７０）。図１７に示した例では、中ドットを形成すべき個数は２個である。順序値「１」の画素には既に大ドットを形成することにしているから、中ドットは順序値「２」の画素と順序値「３」の画素とに形成されることになる。図１７では、中ドットが形成される画素に、少し粗い斜線を付して表示している。図１１のステップＳ１７０では、このようにして大ドットを形成しない画素の中から中ドットを形成する画素を決定する処理を行う。
【００９０】
中ドットを形成する画素を決定したら、今度は小ドットを形成する画素を決定する（図１１のステップＳ１７２）。図１７に示した例では、小ドットを形成すべき個数は１個であり、順序値「１」ないし順序値「３」の画素には既に大ドットおよび中ドットを形成することにしているから、小ドットは順序値「４」の画素に形成されることになる。図１７では、小ドットが形成される画素に、粗い斜線を付して表示している。
【００９１】
こうして大ドット、中ドット、小ドットを形成する画素を決定したら、画素群の中で残った画素はドットを形成しない画素であると決定すればよい（図１１のステップＳ１７４）。以上のような処理を全て行ったら、画素群内の全画素についてドット形成の有無を決定したことになる。
【００９２】
次いで、全画素群について、上述した処理を行ってドット形成の有無を決定したか否かを判断し（ステップＳ１７６）、未処理の画素群が残っていれば（ステップＳ１７６：ｎｏ）、ステップＳ１６０に戻って新たな画素群を選択し、その画素群について続く一連の処理を行う。こうした操作を繰り返し、最終的に全画素群についての処理を終了したと判断されたら（ステップＳ１７６：ｙｅｓ）、図１１に示したドット形成有無決定処理を終了して、図６に示した画像印刷処理に復帰する。前述したように画像印刷処理では、ドット形成有無の決定結果に従ってドットを形成することにより、印刷用紙上に画像が印刷される。
【００９３】
以上に説明したように、本発明の実施例の画像印刷処理では、複数の画素をまとめて画素群を構成し、画素群毎に多値化を行って、得られた多値化結果値をカラープリンタ２００に出力する。画素群の多値化に際しては、画素群の分類番号と画素群階調値とを求めて、図９に示すような多値化テーブルを参照するだけで直ちに多値化結果値を得ることができる。画素群の分類番号も画素群階調値も、前述したように極めて簡単に求めることができることから、画素群の多値化結果値は極めて迅速に、しかも極めて簡素な処理によって求めることが可能となる。
【００９４】
加えて、多値化結果値は、画素群あたり僅かなビット数（本実施例では高々５ビット）で表現することができるので、画素毎にドット形成の有無を表すデータよりも、データ量を大幅に減少させることができる。このため、画素毎にドット形成の有無を表すデータに代えて、画素群毎の多値化結果値をカラープリンタ２００に出力してやれば、データ量が減少する分だけ迅速にデータを供給することが可能となる。
【００９５】
また、カラープリンタ２００では、画素群毎の多値化結果値を受け取ると、これを画素群内に形成すべきドットの個数を示すデータに変換する。かかる変換は、図１２に示すような変換テーブルを参照するだけで、迅速に行うことができる。次いで、変換して得られたドット個数を示すデータと、順序値マトリックスとに基づいて、大ドット・中ドット・小ドットの形成有無を決定した後、ドットを形成して画像を印刷する。順序値マトリックスを参照すれば、大ドット・中ドット・小ドットを形成する画素は比較的簡単に決定することができる。従って、カラープリンタ２００においても、画素群毎の多値化結果値を受け取ると、比較的簡素な処理で、迅速に画素毎のドット形成の有無を決定し、延いては、迅速に画像を印刷することが可能となる。
【００９６】
加えて、本発明の実施例の画像印刷処理では、単に迅速に画像を印刷することができるだけでなく、十分な画質で画像を印刷することができる。特に、画素群の分類番号に応じて、多値化テーブルや、変換テーブル、および順序値マトリックスを適切に設定しておくことで、いわゆるブルーノイズマスク、あるいはグリーンノイズマスクと呼ばれるディザマトリックスを用いて実現されるような、ドットが良好に分散した高画質な画像を印刷することが可能となる。
【００９７】
さらに、本実施例では、多値化結果値に応じて順序値マトリックスが生成されるので、ドット個数だけでなくドット配置についても入力階調値に応じて自由に設定できることが分かる。以下では、こうしたことが可能な理由も含めて、画素群の分類番号を決定する考え方、多値化テーブル、変換テーブル、順序値マトリックスなどを設定する方法について、順次説明する。
【００９８】
Ｃ−３．ディザ法の概要  ：
上述した本発明の実施例の画像印刷処理は、いわゆるディザ法と呼ばれる方法を発展させて改良したものである。そこで、画素群の分類番号を決定する考え方や、多値化テーブル、変換テーブル、順序値マトリックスなどの設定方法を説明する準備として、先ず、ディザ法の概要について簡単に説明しておく。
【００９９】
ディザ法とは、画像データを、画素毎にドット形成の有無を表すデータに変換するために用いられる代表的な手法である。この手法では、ディザマトリックスと呼ばれるマトリックスに閾値を設定しておき、画像データの階調値とディザマトリックスに設定されている閾値とを画素毎に比較して、画像データの階調値の方が大きい画素についてはドットを形成すると判断し、そうでない画素についてはドットを形成しないと判断する。このような判断を画像中の全画素について行えば、画像データを画素毎にドット形成の有無を表すデータに変換することができる。
【０１００】
図１８は、ディザマトリックスの一部を拡大して例示した説明図である。図示したマトリックスには、横方向（主走査方向）に１２８画素、縦方向（副走査方向）に６４画素、合計８１９２個の画素に、階調値１〜２５５の範囲から万遍なく選択された閾値がランダムに記憶されている。ここで、閾値の階調値が１〜２５５の範囲から選択されているのは、本実施例では、画像データが階調値０〜２５５の値を取り得る１バイトデータとしていることに加えて、画像データの階調値と閾値とが等しい場合には、その画素にはドットを形成するものと判断していることによるものである。
【０１０１】
すなわち、ドットが形成されるのは画像データの階調値が閾値よりも大きい画素に限る（すなわち階調値と閾値とが等しい画素にはドットは形成しない）とした場合、画像データの取り得る最大階調値と同じ値の閾値を有する画素には、決してドットが形成されることはない。こうしたことを避けるため、閾値の取り得る範囲は、画像データの取り得る範囲から最大階調値を除いた範囲とする。逆に、画像データの階調値と閾値とが等しい画素にもドットを形成するとした場合、画像データの取り得る最小階調値と同じ値の閾値を有する画素には、常にドットが形成されてしまうことになる。こうしたことを避けるため、閾値の取り得る範囲は、画像データの取り得る範囲から最小階調値を除いた範囲とする。本実施例では、画像データの取り得る階調値が０〜２５５であり、画像データと閾値が等しい画素にはドットを形成するとしていることから、閾値の取り得る範囲を１〜２５５としておくのである。なお、ディザマトリックスの大きさは、図１８に例示したような大きさに限られるものではなく、縦と横の画素数が同じマトリックスも含めて種々の大きさとすることができる。
【０１０２】
図１９は、ディザマトリックスを参照しながら、各画素についてのドット形成の有無を判断している様子を概念的に示した説明図である。ドット形成の有無を判断するに際しては、先ず、判断しようとする画素を選択し、この画素についての画像データの階調値と、ディザマトリックス中で対応する位置に記憶されている閾値とを比較する。図１９中に示した細い破線の矢印は、画像データの階調値と、ディザマトリックスに記憶されている閾値とを、画素毎に比較していることを模式的に表したものである。たとえば、画像データの左上隅の画素については、画像データの階調値は９７であり、ディザマトリックスの閾値は１であるから、この画素にはドットを形成すると判断する。図１９中に実線で示した矢印は、この画素にはドットを形成すると判断して、判断結果をメモリに書き込んでいる様子を模式的に表したものである。一方、この画素の右隣の画素については、画像データの階調値は９７、ディザマトリックスの閾値は１７７であり、閾値の方が大きいので、この画素についてはドットを形成しないと判断する。ディザ法では、こうしてディザマトリックスを参照しながら、画素毎にドットを形成するか否かを判断することで、画像データを画素毎にドット形成の有無を表すデータに変換する。
【０１０３】
以上に説明した内容を踏まえて、以下では、画素群の分類番号を決定する考え方や、多値化テーブル、変換テーブル、順序値マトリックスなどの設定方法について説明する。
【０１０４】
Ｃ−４．分類番号を決定するための考え方  ：
以下では、先ず初めに、画素群の分類番号を付与する考え方を説明する。次いで、図８を用いて前述した簡便な方法によって、画素群の分類番号を求めることができる理由について説明する。
【０１０５】
図２０は、画素群毎の分類番号を決定するための考え方を示した説明図である。図２０（ａ）は、画像の一番左上隅の箇所において、横方向に４画素、縦方向に２画素の合計８画素をまとめることによって画素群を１つ生成した様子を概念的に示したものである。
【０１０６】
前述したように、ディザ法では画素に割り当てられた画像データの階調値と、ディザマトリックスの対応する位置に設定されている閾値とを比較して、画素毎にドット形成の有無を判断している。一方、本実施例では、隣接する所定数の画素を画素群としてまとめているから、ディザマトリックスに設定されている閾値についても、画素群に対応する所定数ずつまとめてブロックを生成することにする。図２０（ｂ）は、図１８に示したディザマトリックスに設定されている閾値を、横方向に４つ、縦方向に２つずつまとめて複数のブロックを生成した様子を示している。図１８に示したディザマトリックスは、横方向（主走査方向）に１２８画素分、縦方向（副走査方向）に６４画素分の合計８１９２画素分の閾値が設定されているから、これら閾値を横方向に４つ、縦方向に２つずつブロックにまとめれば、ディザマトリックスは縦横それぞれ３２個ずつ、合計１０２４個のブロックに分割されることになる。
【０１０７】
今、図２０（ｂ）に示すように、これらブロックに１番〜１０２４番までの通し番号を付しておく。そして、画像データにディザマトリックスを適用した時に、各画素群の位置に適用されるブロックの通し番号によって、画素群を分類してやる。たとえば、図２０（ｃ）に示したように、画像の一番左上隅にある画素群には、図２０（ｂ）中の通し番号１番のブロックが適用されるから、この画素群は分類番号１番の画素群に分類するのである。以上が、画素群の分類番号を決定するための基本的な考え方である。
【０１０８】
次に、図８を用いて前述した方法によって、画素群の分類番号を算出可能な理由について説明する。図２１は、画素群の分類番号を算出する方法を示した説明図である。図２１（ａ）は、画像中で生成された１つの画素群を表している。以下では、この画素群を着目画素群として、分類番号を算出する方法について説明する。前述したように、着目画素群の位置は、画素群の左上隅にある画素の画素位置によって表すものとする。図２１（ａ）では、画素群の位置を示す画素に黒丸を付して表示している。この画素の画素位置が（Ｘ，Ｙ）であったとする。すると、各画素群の大きさは、主走査方向に４画素、副走査方向に２画素としているから、
Ｘ＝４ｎ＋１、  Ｙ＝２ｍ＋１
となるようなｎ、ｍ（ここで、ｎ，ｍは０以上の正整数）が存在する。換言すれば、着目画素群の左側にはｎ個の画素群が並んでおり、着目画素群の上側にはｍ個の画素群が並んでいることになる。
【０１０９】
ここで、前述したように画素群は、画像データにディザマトリックスを適用したときに、着目画素群に適用されるブロックの通し番号に基づいて分類することとしているから（図２０参照のこと）、ディザマトリックスを移動させながら画像データに適用する方法によって、同じ画素群でも異なった分類番号に分類されることになる。実際には、ディザマトリックスを移動させながら画像データに適用する方法はどのような方法でも構わないが、ここでは説明の便宜から、最も単純な方法すなわちディザマトリックスを横方向に移動させるものとして説明する。図２１（ｂ）には、ディザマトリックスを横方向に少しずつ移動させながら、繰り返し画像データに適用している様子が概念的に示されている。
【０１１０】
図２１（ｃ）は、図２１（ｂ）に示すようにディザマトリックスを繰り返して用いながら、図２１（ａ）に示した着目画素群にディザマトリックスを適用している様子を概念的に表している。このようにディザマトリックスを移動させていくと、ディザマトリックス中のいずれかのブロックが、着目画素群に適用されることになる。ここでは、着目画素群には、ディザマトリックス中でＭ行Ｎ列目のブロックが適用されたものとする。すると、図２１（ａ）に示したように着目画素群の左側にはｎ個の画素群があり、上側にはｍ個の画素群があるから、Ｎとｎ、およびＭとｍとの間には、それぞれ
Ｎ＝ｎ  −  ｉｎｔ（ｎ／３２）×３２  ＋  １
Ｍ＝ｍ  −  ｉｎｔ（ｍ／３２）×３２  ＋  １
の関係が成り立っている。ここで、ｉｎｔは、小数点以下を切り捨てて整数化することを表す演算子である。すなわち、ｉｎｔ（ｎ／３２）は、ｎ／３２の計算結果に対して小数点以下の数値を切り捨てることによって得られる整数値を表している。このように、着目画素群の位置が分かれば、図２１（ｄ）に表示した上述の関係式から数値ＭおよびＮを求めて、ディザマトリックス中でＭ行Ｎ列目にあるブロックのブロック番号を、その着目画素群の分類番号としてやればよい。もっとも実際には、図８を用いて前述したように、着目画素群の座標値Ｘ，Ｙを２進数表示したデータから、所定ビットのデータを抜き出すだけで、極めて簡単に求めることができる。以下、この理由について説明する。
【０１１１】
図２２は、着目画素群の座標値の２進数表示から分類番号を求める方法を示した説明図である。着目画素群の座標値を（Ｘ，Ｙ）として、Ｘ，Ｙが１０ビットで表現されているものとする。図２２（ａ）は、数値Ｘを表す１０ビットの２進数データを概念的に示している。図では、各ビットを識別するために、最上位ビットから最下位ビットに向かって１番から１０番までの通し番号を付して表示している。
【０１１２】
図２１を用いて前述したように、着目画素群の左側にある画素群の個数ｎは、数値Ｘから１を減算して４で除算すれば得ることができる。ここで、４での除算は、２ビット分だけ右方向にシフトさせることで実施することができるから、数値Ｘから１を減算して、得られた２進数データを右方向に２ビット分だけビットシフトさせればよい。更に、数値Ｘは任意の値を取るのではなく、４ｎ＋１の形式で表現可能な数値しか取り得ないから、１を減算せずに、単に２進数データを右方向に２ビット分だけビットシフトさせるだけで、画素群の個数ｎを得ることができる。図２２（ｂ）は、こうして数値Ｘをビットシフトして得られた個数ｎの２進数データを概念的に表している。
【０１１３】
次いで、ｉｎｔ（ｎ／３２）を算出する。すなわち、個数ｎを３２で除算して、小数点以下の数値を切り捨てる操作を行う。３２による除算は、２進数データを右方向に５ビット分だけビットシフトさせることで実行可能であり、また、データを整数形式で扱っていれば、小数点以下の数値は自動的に切り捨てられてしまう。結局、ｉｎｔ（ｎ／３２）の２進数データは、個数ｎの２進数データを、単に右方向に５ビット分だけビットシフトさせることで得ることができる。図２０（ｃ）は、個数ｎをビットシフトして得られたｉｎｔ（ｎ／３２）の２進数データを概念的に表している。
【０１１４】
こうして得られたｉｎｔ（ｎ／３２）に３２を乗算する。３２による乗算は、２進数データを５ビット分だけ左方向にビットシフトすることで実施することができる。図２２（ｄ）は、個数ｎをビットシフトして得られたｉｎｔ（ｎ／３２）×３２の２進数データを概念的に表している。
【０１１５】
次いで、個数ｎからｉｎｔ（ｎ／３２）×３２を減算すれば、前述の数値Ｎを得ることができる。個数ｎの２進数データ（図２２（ｂ）参照）とｉｎｔ（ｎ／３２）×３２の２進数データ（図２２（ｄ）参照）とを比較すれば明らかなように、これら２進数データは、上位の５ビットは共通しており、減算する側の数値の下位５ビットは全て「０」となっている。従って、減算される側の数値（個数ｎ）の下位５ビットをそのまま抜き出せば、求める数値Ｍを得ることができる。すなわち、図２２（ｂ）に示した２進数データに対して、図２２（ｆ）に示すようなマスクデータを作用させるだけで、極めて簡便に数値Ｎを得ることが可能である。あるいは、図２２（ａ）に示した着目画素群の位置を示す数値Ｘの２進数データに、図２２（ｇ）のようなマスクデータを作用させて、４番目〜８番目のビットデータを直接抜き出すことによっても、数値Ｎを得ることができる。
【０１１６】
図２２では、着目画素群の位置を示す座標値（Ｘ，Ｙ）の数値Ｘから、ディザマトリックス中でのブロック位置を示す数値Ｎを求める場合について説明したが、全く同様にして、ブロック位置を示す数値Ｍも数値Ｙから求めることができる。結局、着目画素群の位置が分かれば、２進数データから特定のビット位置のデータを抜き出すだけで、着目画素群がディザマトリックス中で何行何列目のブロックに対応するかを知ることができ、このブロックの通し番号を算出すれば、着目画素群の分類番号を得ることができる。図８を用いて前述した分類番号の算出方法は、このようにして導かれた方法である。
【０１１７】
Ｃ−５．多値化テーブルの設定方法  ：
次に、図９に示した多値化テーブルを設定する方法について説明する。前述したように、多値化テーブルには、画素群階調値に対する多値化結果値が画素群の分類番号毎に設定されており、多値化テーブルを参照しながら多値化することで、画素群階調値は、図１０に示したように画素群の分類番号に応じた固有な態様で多値化されることになる。
【０１１８】
本実施例の多値化テーブルは、大きさの異なる複数種類のドットについて画素毎にドット形成の有無を判断可能なように、前述したディザ法を発展させた手法を基にして設定されている。かかる手法の詳細な内容は、特許３２９２１０４号に開示されている。多値化テーブルの設定方法を説明する前に、その準備として、上記の特許公報に開示された技術の概要について簡単に説明しておく。
【０１１９】
図２３は、ディザ法を発展させて、画素毎に大ドット・中ドット・小ドットの形成の有無を決定可能としたハーフトーン処理の流れを示すフローチャートである。ハーフトーン処理を開始すると、先ず初めに、ドットの形成有無を判断しようとする画素を選択して、その画素の画像データを取得する（ステップＳ２００）。次いで、取得した画像データを、大中小の各ドットについての密度データに変換する。ここで、密度データとは、ドットをどの程度の密度で形成するかを表すデータである。密度データは、階調値が大きくなる程、ドットが高い密度で形成されることを表している。たとえば、密度データの階調値「２５５」は、ドットの形成密度が１００％、すなわち全ての画素にドットが形成されることを表しており、密度データの階調値「０」は、ドットの形成密度が０％、すなわちいずれの画素にもドットが形成されないことを表している。こうした密度データへの変換は、ドット密度変換テーブルと呼ばれる数表を参照することによって行うことができる。
【０１２０】
図２４は、画像データの階調値を大中小各ドットについての密度データに変換する際に参照されるドット密度変換テーブルを概念的に示した説明図である。図示されているように、ドット密度変換テーブルには、画像データの階調値に対して、小ドット・中ドット・大ドットの各ドットについての密度データが設定されている。画像データが階調値「０」近傍の領域では、中ドット・大ドットの密度データはいずれも階調値「０」に設定されている。小ドットの密度データは、画像データの階調値が大きくなるに連れて増加して行くが、画像データがある階調値に達すると今度は逆に減少し始め、代わりに中ドットの密度データが増加し始める。画像データの階調値が更に増加して、ある階調値に達すると、小ドットの密度データが階調値「０」となり、中ドットの密度データが減少し始めて、代わりに大ドットの密度データが少しずつ増加していく。図２３のステップＳ２０２では、このドット密度変換テーブルを参照しながら、画像データの階調値を、大ドットの密度データ、中ドットの密度データ、小ドットの密度データに変換する処理を行う。
【０１２１】
処理対象とする画素について、大中小各ドットの密度データが得られたら、先ず初めに大ドットについての形成有無を判断する（図２３のステップＳ２０４）。かかる判断は、大ドットの密度データと、処理対象としている画素の対応する位置に設定されているディザマトリックスの閾値とを比較することによって行う。大ドットの密度データが閾値よりも大きい場合は、処理対象の画素には大ドットを形成するものと判断し、逆に密度データの方が小さい場合は、大ドットは形成しないものと判断する。
【０１２２】
次いで、処理対象の画素に大ドットを形成すると判断されているか否かを判定し（ステップＳ２０６）、大ドットを形成すると判断されている場合は（ステップＳ２０６：ｙｅｓ）、中ドットおよび小ドットについての判断は省略して、全画素を終了したか否かを判断する（ステップＳ２１８）。そして、ドット形成の有無を未判断の画素が残っている場合は（ステップＳ２１８：ｎｏ）、ステップＳ２００に戻って新たな画素を選択し、続く一連の処理を行う。
【０１２３】
一方、処理対象の画素に大ドットを形成すると判断されていない場合は（ステップＳ２０６：ｎｏ）、中ドットについての形成有無を判断するべく、大ドットの密度データに中ドットの密度データを加算して中ドット用の中間データを算出する（ステップＳ２０８）。こうして得られた中ドット用の中間データと、ディザマトリックスの閾値とを比較する。そして、中ドット用の中間データの方が閾値よりも大きければ、中ドットを形成するものと判断し、逆に中間データよりもディザマトリックスの閾値の方が大きければ、中ドットを形成しないものと判断する（ステップＳ２１０）。
【０１２４】
次いで、処理対象の画素に中ドットを形成すると判断されているか否かを判定し（ステップＳ２１２）、中ドットを形成すると判断されている場合は（ステップＳ２１２：ｙｅｓ）、小ドットについての判断は省略して、全画素を終了したか否かを判断する（ステップＳ２１８）。
【０１２５】
処理対象の画素に中ドットを形成すると判断されていない場合は（ステップＳ２１２：ｎｏ）、小ドットについての形成有無を判断するべく、中ドット用の中間データに小ドットの密度データを加算して小ドット用の中間データを算出する（ステップＳ２１４）。そして、得られた小ドット用の中間データと、ディザマトリックスの閾値とを比較する。そして、小ドット用の中間データの方が閾値よりも大きければ、小ドットを形成するものと判断し、逆に中間データよりもディザマトリックスの閾値の方が大きければ、いずれのドットも形成しないものと判断する（ステップＳ２１６）。
【０１２６】
すなわち、大ドットの密度データよりもディザマトリックスに設定された閾値の方が大きい画素（大ドットが形成されない画素）については、大ドットの密度データに中ドットの密度データを加算して、得られた中間データと閾値とを比較し、中間データの方が大きくなれば、中ドットを形成すると判断する。一方、中間データよりも依然として閾値の方が大きい画素については、中間データに小ドットの密度データを加算して新たな中間データを算出する。そして、この中間データと閾値とを比較して、新たな中間データの方が大きくなれば小ドットを形成すると判断し、依然として閾値の方が大きい画素についてはいずれのドットも形成しないと判断するのである。
【０１２７】
以上のような処理を行うことにより、処理対象の画素について、大ドット、中ドット、小ドットのいずれのドットを形成するか、若しくは、いずれのドットも形成しないかを判断することができる。そこで、全画素についての処理を終了したか否かを判断し（ステップＳ２１８）、未判断の画素が残っている場合は（ステップＳ２１８：ｎｏ）、ステップＳ２００に戻って新たな画素を選択し、続く一連の処理を行う。このようにして、処理対象として選択された画素について１つずつ、大中小のいずれのドットを形成するか否かを判断していく。そして、全画素について処理を終了したと判断されたら（ステップＳ２１８：ｙｅｓ）、図２３に示したハーフトーン処理を終了する。
【０１２８】
以上、ディザマトリックスを利用して、大中小の各ドットについての形成有無を判断する方法について説明した。以下では、上述の説明を踏まえて、図９に示した多値化テーブルの設定方法について説明する。
【０１２９】
前述したように多値化結果値生成処理では、画素群内に含まれる各画素の画像データを画素群階調値で代表させることにより、画素群をまとめて多値化している。そこで、多値化テーブルを設定するに際しては、先ず、画素群内の全画素が画素群階調値と同じ値の画像データを有するものとして、各画素について大中小の各種ドットについての形成有無を判断することを考える。各種ドットについての形成有無の判断は、図２３を用いて前述したハーフトーン処理によって行う。
【０１３０】
図２５は、画素群内の各画素について、大中小各ドットの形成有無を判断している様子を概念的に示した説明図である。図中では、ハーフトーン処理を行うために着目している画素群を太い実線で囲って表している。画素群は８つの画素から構成されており、各画素の画像データは、いずれも画素群階調値と同じ値（図示した例では階調値９７）を有している。大中小各種ドットの形成有無を判断するためには、画像データを各ドットについての密度データに変換する。密度データへの変換は、図２４に示したドット密度変換テーブルを参照することによって行う。ここでは、画素群内の全画素が同じ画像データを有するものとしているから、各種ドットについても密度データも全て画素について同じ値となる。図示した例では、大ドットの密度データの階調値が「２」、中ドットの密度データの階調値が「９５」、小ドットの密度データの階調値が「３０」であった場合を表している。
【０１３１】
次いで、図２３を用いて説明したように、大ドットの密度データ、中ドット用の中間データ、あるいは小ドット用の中間データと、ディザマトリックスに設定されている閾値とを比較することによって、各種ドットについての形成有無を画素毎に判断する。ここで、比較に用いるディザマトリックスの閾値は、ディザマトリックスの中から、着目している画素群に対応する箇所に設定されている閾値を使用する。たとえば、図２５に示した例では、画素群が画像の左上隅にあることから、閾値についても、ディザマトリックス中の左上隅の画素群に設定されている閾値を使用する。
【０１３２】
そして、画素群に設定されている８つの閾値の中で、大ドットの密度データよりも小さな閾値が設定されている画素については、大ドットを形成すると判断する。ここでは、大ドットの密度データは階調値「２」としているから、大ドットが形成される画素は、閾値「１」が設定されている画素だけである。図２５では、大ドットが形成されると判断された画素には、細かい斜線を付して表示している。大ドットの密度データ「２」よりも大きく、大ドットの密度データと中ドットの密度データとを加算して得られた中ドット用の中間データ「９７」よりも小さな閾値が設定されている画素には、中ドットを形成するものと判断する。このような画素は、閾値「４２」が設定された画素、および閾値「５８」が設定された画素の２つの画素だけである。図２５では、中ドットが形成されると判断された画素には、少し粗い斜線を付して表示している。そして、最後に、中ドット用の中間データ「９７」よりも大きく、中ドット用の中間データに小ドット用の密度データを加算して得られた小ドット用の中間データ「１２７」よりも小さな閾値が設定されている画素には、小ドットを形成するものと判断する。このような画素は、閾値「１０９」が設定された画素だけである。図２５では、小ドットが形成されると判断された画素には、粗い斜線を付して表示している。このようにして、大ドット、中ドット、小ドットの形成有無を判断した結果、着目している画素群の画素群階調値が「９７」である場合には、大ドット１個、中ドット２個、小ドット１個が形成されることになる。
【０１３３】
画素群階調値が大きく異なれば、画素群内に形成される大ドット、中ドット、小ドットの個数も異なったものとなる。また、画素群階調値を「０」から「２５５」まで変化させれば、それに伴って大ドット、中ドット、小ドットの個数は、幾段階かに変化するはずである。更に、画素群の分類番号が異なれば、ディザマトリックスの閾値も異なることから、ドット個数の変化の仕方も異なるはずである。図９に示した多値化テーブルは、画素群階調値を「０」から「２５５」まで変化させたときの、各種ドットの個数が段階的に変化する挙動を、分類番号毎に調べることによって設定されている。
【０１３４】
図２６は、実際に、多値化テーブルを設定する処理の流れを示したフローチャートである。以下、フローチャートに従って説明する。多値化テーブルの設定処理を開始すると、先ず初めに、画素群の分類番号を１つ選択する（ステップＳ３００）。たとえば、ここでは分類番号１番を選択したものとする。
【０１３５】
次いで、選択した分類番号の画素群に対応する閾値を、ディザマトリックスの中から読み出してやる（ステップＳ３０２）。たとえば、ここでは分類番号１番を選択したものとしているから、図１８に例示したディザマトリックスの中から、図２０（ｂ）中で１番と表示したブロック位置に設定されている８つの閾値を読み出す。
【０１３６】
そして、多値化結果値ＲＶおよび画素群階調値ＢＤを「０」に設定し（ステップＳ３０４）、更に、大ドット、中ドット、小ドットの形成個数をいずれも０個に設定する（ステップＳ３０６）。
【０１３７】
続いて、図２４に示したドット密度変換テーブルを参照することにより、画素群階調値を大ドット、中ドット、小ドットについての密度データに変換した後（ステップＳ３０８）、これら密度データと先に読み込んでおいた閾値とに基づいて、大中小の各種ドットについての形成個数を決定する（ステップＳ３１０）。すなわち、図２３あるいは図２５を用いて説明したように、大ドットの密度データよりも小さな閾値の個数を求めて、得られた個数を大ドットの形成個数とする。また、大ドットの密度データよりも大きく且つ中ドット用の中間データよりも小さな閾値の個数を求めて、これを中ドットの形成個数とする。更に、中ドット用の中間データよりも大きく且つ小ドット用の中間データよりも小さな閾値の個数を求めて、これを小ドットの形成個数とする。
【０１３８】
こうして求めた各種ドットの形成個数が、先に設定されていた形成個数に対して変更されたか否かを判断する（ステップＳ３１２）。そして、形成個数が変更されたと判断されれば（ステップＳ３１２：ｙｅｓ）、多値化結果値ＲＶを「１」だけ増加させて（ステップＳ３１４）、得られた多値化結果値ＲＶを画素群階調値ＢＤに対応づけて記憶する（ステップＳ３１６）。一方、形成個数が変更されていないと判断された場合は（ステップＳ３１２：ｎｏ）、多値化結果値ＲＶを増加させることなく、そのままの値を画素群階調値ＢＤに対応づけて記憶する（ステップＳ３１６）。
【０１３９】
以上のようにして、ある画素群階調値に対する多値化結果値を記憶したら、画素群階調値ＢＤが階調値２５５に達したか否かを判断する（ステップＳ３１８）。階調値２５５に達していなければ（ステップＳ３１８：ｎｏ）、画素群階調値ＢＤを「１」だけ増加させて（ステップＳ３２０）、ステップＳ３０８に戻って再び画素群階調値ＢＤを密度データに変換した後、続く一連の処理を行って、新たな画素群階調値ＢＤに対応づけて多値化結果値ＲＶを記憶する（ステップＳ３１６）。画素群階調値ＢＤが階調値２５５に達するまで、こうした操作を繰り返す。そして、画素群階調値ＢＤが階調値２５５に達したら（ステップＳ３１６：ｙｅｓ）、選択した分類番号については、すべての多値化結果値を設定したことになる。
【０１４０】
そこで、すべての分類番号について、以上のような処理を行ったか否かを判断し（ステップＳ３２２）、未処理の分類番号が残っている場合は（ステップＳ３２２：ｎｏ）、ステップＳ３００に戻って再び上述した処理を行う。こうした処理を繰り返し、すべての分類番号について、すべての多値化結果値を設定したと判断されたら（ステップＳ３２２：ｙｅｓ）、図２６に示した多値化テーブル設定処理を終了する。
【０１４１】
以上の説明から明らかなように、多値化結果値は、画素群階調値を変換して得られた大中小各ドットの密度データと、ディザマトリックス中で画素群に対応する位置に記憶されている閾値とによって決定される。ここで、図２４に示したドット密度変換テーブルは、画素群の分類番号が異なっていても同じテーブルを参照するから、画素群階調値に対する各ドットの密度データも、分類番号によらず同じ密度データが得られる。しかし、ディザマトリックスから読み出された閾値の組は、分類番号毎に異なったものとなる。何故なら、ディザマトリックスは、画像上でドットが一定のパターンで発生したり、あるいは近接した位置に固まって発生することで画質を悪化させることの無いように、閾値は出来るだけ分散させて且つ出来るだけランダムに設定されている。このため、画素群に含まれる複数個の閾値を組として見たときに、全く同じ組合せとなる可能性は極めて低いと考えられるからである。このような理由から、本実施例の多値化結果値生成処理で参照される多値化テーブルは、画素群階調値と多値化結果値との対応関係が分類番号毎に異なったものとなり、また、多値化結果値が変化する回数（図１０に示した多値化の段数）も、分類番号に応じて異なったものとなっている。
【０１４２】
Ｃ−６．変換テーブルの設定方法  ：
次に、図１２を用いて前述した変換テーブルの設定方法について説明する。かかる変換テーブルは、図１１に示したドット形成有無決定処理中で、多値化結果値を分類番号と組み合わせて、画素群に形成されるドット個数を表すデータに変換するために参照されるテーブルである。
【０１４３】
図２６を用いて前述した多値化テーブルの設定方法から明らかなように、多値化テーブルに設定されている多値化結果値は、画素群に形成される大中小の各ドットの個数に基づいて決定されている。もっとも、多値化結果値が、画素群に形成されるドット個数の組合せに直ちに対応しているわけではなく、多値化結果値と画素群の分類番号とを組み合わせることで初めて、具体的なドット個数の組合せに対応付けることができる。何故なら、多値化結果値は、画素群階調値を階調値０から階調値２５５まで増加させたときに、大中小各ドットの形成個数が変化したか否かだけを抽出し、具体的に各ドット個数の組合せがどのように変化したかを示す情報は省かれた状態で設定されているからである。
【０１４４】
とは言え、画素群の分類番号が分かっていれば、その画素群で何回目の変化に相当するか、すなわち多値化結果値から、各種ドットについての具体的な個数の組合せを特定することはできる。そこで、分類番号毎に、多値化結果値を設定する元になった各種ドットの具体的な個数を求め、得られたドット個数の組合せに対応するコード値を、多値化結果値に対応付けて記憶しておく。図１２に示した変換テーブルは、こうした操作を、全ての分類番号について行うことによって設定されている。
【０１４５】
図２７は、変換テーブルを設定する具体的な処理の流れを示したフローチャートである。以下、フローチャートに従って説明する。変換テーブル設定処理を開始すると、先ず初めに、設定対象とする分類番号を１つ選択し（ステップＳ３５０）、多値化結果とＲＶを０に設定する（ステップＳ３５２）。
【０１４６】
次いで、多値化結果値ＲＶに対応する大中小各ドットの個数を取得する（ステップＳ３５４）。たとえば、多値化結果値が「Ｎ」であったとすると、その分類番号の画素群について、画素群階調値を「０」から「２５５」に変化させながら大中小各ドットの形成有無を判断し、ドットの形成個数がＮ番目に変化したときの大ドット、中ドット、小ドットの個数を取得する。
【０１４７】
こうして取得した各ドットの個数の組合せを、コード値に変換する（ステップＳ３５６）。ドット個数の組合せからコード値への変換は、図１３に示した対応表を参照することによって行う。次いで、得られたコード値を、多値化結果値に対応付けて記憶した後（ステップＳ３５８）、対象としている分類番号についての最大の多値化結果に達したか否かを判断する（ステップＳ３６０）。すなわち、図９を用いて説明したように、多値化結果の最大値は、画素群の分類番号によって異なっていることから、対象としている分類番号についての多値化結果の最大値に達したか否かを判断するのである。
【０１４８】
そして、多値化結果の最大値に達していない場合は（ステップＳ３６０：ｎｏ）、多値化結果ＲＶの値を「１」だけ増加させる（ステップＳ３６２）。そして、ステップＳ３５４に戻って、新たな多値化結果値ＲＶに対応する各ドットの個数を取得した後、続く一連の処理を繰り返す。こうした操作を繰り返し、対象としている分類番号の最大多値化結果値に達したと判断されたら（ステップＳ３６０：ｙｅｓ）、その分類番号については全データが変換テーブルに設定されたことになる。
【０１４９】
そこで今度は、全ての分類番号について同様の処理を行ったか否かを判断する（ステップＳ３６４）。そして、未だ処理していない分類番号が残っている場合は、ステップＳ３５０に戻って新たな分類番号を選択し、この分類番号について、上述した一連の処理を行う。こうして全ての分類番号について処理を終了したと判断されたら（ステップＳ３６４：ｙｅｓ）、変換テーブルの全てのデータが設定されたことになるので、図２７に示す処理を終了する。
【０１５０】
本発明の実施例のカラープリンタ２００は、このようにして設定された変換テーブルが、制御回路２６０に内蔵されたＲＯＭ内に予め記憶されている。そして、図１１に示したドット形成有無決定処理では、この変換テーブルを参照することによって、多値化結果値を個数データに変換しているのである。
【０１５１】
Ｃ−７．順序値マトリックスの設定方法  ：
次に、図１４に例示した順序値マトリックス変換テーブルを設定する方法について説明する。前述したように、順序値マトリックスとは、画素群内の各画素について、ドットが形成される順番を設定したマトリックスである。図１１に示したドット形成有無決定処理中では、画素群に対応する順序値マトリックスを読み込んで、マトリックスに設定されている順番に従って、大ドット、中ドット、小ドットを形成する画素を決定していた。
【０１５２】
順序値マトリックスも、前述した多値化テーブルと同様に、特許３２９２１０４号に開示された手法（ディザ法を発展させて、大きさの異なる複数種類のドットの形成の有無を判断可能とした手法）を基にして設定されている。すなわち、多値化テーブルを設定する場合は、前述したように画素群内の全画素が同じ画像データ（画素群階調値）を有するものとして、画素群内に形成される大中小ドットの個数を決定しながら、画素群階調値を「０」から「２５５」まで変化させて、このときに各ドットが形成される個数の変化に着目して多値化結果値を設定した。また、図１２に示すように、多値化結果値と分類番号とを組み合わせれば、画素群内に形成される大中小の各ドットの個数までは復元することができた。しかし、これら各種ドットが、画素群内のどの画素に形成されるかに関する情報は省略されており、多値化結果値あるいは分類番号からは知ることはできない。順序値マトリックスは、画素群内で各種ドットが形成される画素位置に関する情報を記憶したものと考えることができる。すなわち、特許３２９２１０４号に開示された手法を画素群に適用すれば、図２３ないし図２５を用いて前述したように、各種ドットの形成個数だけでなく、画素群内でドットが形成される画素位置まで決定可能であるところ、本実施例ではこの手法を２つの要素に分解して、各種ドットの形成個数に関する情報については、主に多値化結果値（正確には、多値化結果値および分類番号の組合せ）に反映させ、ドットが形成される画素位置に関する情報ついては、順序値マトリックスに反映させていると考えることができる。このような順序値マトリックスは、実際には、比較的簡単に設定することができる。
【０１５３】
図２８は、順序値マトリックスを設定する方法について具体的に示した説明図である。以下、図を参照しながら説明する。順序値マトリックスの設定に際しては、先ず、ディザマトリックスを画素群と同じ大きさを有する複数のブロックに分割して、各ブロックに通し番号を付しておく。図２０を用いて前述したように、この通し番号がそのまま画素群の分類番号となる。図２８（ａ）は、ディザマトリクスを複数のブロックに分割した様子を概念的に示した説明図である。今、ディザマトリックスが図１８に示した大きさ（すなわち、主走査方向に１２８画素、副走査方向に６４画素）を有しているものとすると、１つの画素群は主走査方向に４画素、副走査方向に２画素の大きさを有するとしているから、図２８（ａ）に示すように、ディザマトリックスは主走査方向および副走査方向にそれぞれ３２ブロックずつ、全体では、１番から１０２４番までの分類番号が付された１０２４個のブロックに分割されることになる。
【０１５４】
ディザマトリックスを複数のブロックに分割したら、各ブロックから１組ずつ順序値マトリックスを生成する。図２８（ｂ）は、一例として、分類番号１番のブロックから順序値マトリックスを生成している様子を示した説明図である。図２８（ｂ）の左側半分には、分類番号１番のブロックに含まれるディザマトリックスの閾値が示されている。図２５を用いて前述したように、ドットは小さな閾値が設定されている画素から順番に形成される。従って、図２８（ｂ）に示した１番のブロックの中で１番初めにドットが形成される画素は、閾値「１」が設定された画素と考えることができる。そこで、この画素には順序値として「１」を設定する。同様に、２番目にドットが形成される画素は、２番目に小さな閾値である閾値「４２」が設定された画素と考えることができる。そこで、この画素には順序値「２」を設定する。このようにして、ブロック内に設定されている閾値の小さな画素から順番に、順序値「１」から順序値「８」までを決定してやれば、図２８（ｂ）の右側半分に示した分類番号１番の順序値マトリックスを得ることができる。
【０１５５】
図２８（ｃ）は、同様にして、ブロック内で小さな閾値が設定されている画素から順番に、順序値「１」から順序値「８」までを設定することで、分類番号２番の順序値マトリックスが得られる様子を示している。図２８（ａ）に示した分類番号「１」番から「１０２４」番までの全てのブロックについて、以上のような操作を行うことにより、分類番号「１」番から「１０２４」番までの順序値マトリックスを得ることができる。
【０１５６】
本発明の実施例のカラープリンタ２００は、このようにして設定された順序値マトリックスが、制御回路２６０に内蔵されたＲＯＭ内に、画素群の分類番号に対応付けて予め記憶されている。そして、図１１に示したドット形成有無決定処理を実施する際には、記憶されている順序値マトリックスの中から、画素群の分類番号に対応するマトリックスを読み出しているのである。
【０１５７】
Ｃ−８．多値化結果値からドット形成有無を適切に決定可能な原理  ：
以上に説明したように、本発明の実施例の画像印刷処理では、複数個の画素を画素群にまとめて、図９に例示した多値化テーブルを参照することにより、画素群毎に多値化結果値を決定する。次いで、図１２に例示した変換テーブル、および図１６に例示した順序値マトリックスを参照しながら、多値化結果値に基づいて画素群内に各種ドットを形成する画素位置を決定する。このようにしてドットを形成する画素位置を決定した場合でも、ドットが適切に分散された高画質な画像を出力することができる。加えて、比較的少数ずつ（本実施例では８個ずつ）の画素群をまとめて処理しているにも関わらず、いわゆるブルーノイズマスク、あるいはグリーンノイズマスクに代表される画素数が千個を越えるような大規模なディザマトリックスを用いることで実現されるような、良好なドット分布を得ることが可能である。以下では、このようなことが可能となる原理について説明する。
【０１５８】
前述した特許３２９２１０４号に開示された技術を用いれば、図２３および図２４を用いて前述したように、画像データを大ドットの密度データ、中ドット用の中間データ、小ドット用の中間データに変換して、ディザマトリックスに設定されている閾値と比較することで、大中小各ドットについての形成の有無を判断することができる。更に、このときに参照するディザマトリックスを、いわゆるブルーノイズマスク、あるいはグリーンノイズマスクに代表されるような分散性が考慮されたマトリックスとしておけば、ドットが良好に分散した高画質な画像を得ることができる。
【０１５９】
また、画像データは一般的に、隣接する画素間では近似する（若しくは同一の）階調値が割り当てられる傾向がある。近年では、高画質化の要請から画像データの解像度は益々高くなる傾向にあるが、隣接する画素間で近似若しくは同一の階調値が割り当てられる傾向は、画像データの解像度が高くなるほど顕著に現れる。このことから、図２５を用いて前述したように、複数個の画素を画素群としてまとめてしまい、画素群内の画素は全て同じ画像データを有するものとして大中小各ドットの形成有無を判断した場合でも、実際には画質に差が生じることは稀である。
【０１６０】
ここで、前述した本実施例の多値化結果値生成処理では、画素群階調値を多値化して、画素群の分類番号に依存した多値化結果値を生成する。こうして生成された多値化結果値は、画素群の分類番号と組み合わせることで、画素群内に形成される各種ドットの個数を示すデータとなっている。図２５に示した画素群については、画素群の分類番号と組み合わせることで、大ドット、中ドット、小ドットの形成個数が、それぞれ１個、２個、１個であることを示すような多値化結果値が生成されることになる。
【０１６１】
前述した本発明の実施例のドット形成有無決定処理では、このような多値化結果値を受け取ると、画素群内の各画素について、大中小各ドットについての形成有無を決定する。図２９は、前述したドット形成有無決定処理において、多値化結果値を受け取って、画素群内の各画素について大中小各ドットの形成有無を判断する処理の大まかな流れを概念的にまとめた説明図である。図示されているように、多値化結果値を受け取ると、その結果値が表す画素群の分類番号を求めた後、多値化結果値と分類番号とに基づいて、大中小各ドットの形成個数を取得するとともに、順序値マトリックスを生成する。なお、分類番号を求める具体的な方法については後述する。
【０１６２】
図２５に示した画素群を想定しながら説明すれば、画素群は画像の左上隅にあるから分類番号は１番と求められる。この画素群の多値化結果値と、求めた分類番号とを組み合わせることにより、この画素群には、大ドット１個、中ドット２個、小ドット１個がそれぞれ形成されることが分かる。これら各ドットが、画素群内のどの画素に形成されるかを決定するために、分類番号１番の順序値マトリックスを参照する。この順序値マトリックスは、図２５において、ドット形成有無の判断に用いたディザマトリックスのこの当部分、すなわち画素群内の各画素についてドット形成の有無を判断するために用いたこの当部分から生成した順序値マトリックスである。
【０１６３】
このようにして得られた大中小各ドットの個数と、順序値マトリックスとに基づいて、画素群内でこれらドットを形成する画素位置を決定していく。画素位置を決定する具体的な方法は、図１７を用いて既に説明しているので、ここでは説明は省略して結果のみを示すと、大ドットは順序値１番の画素に形成され、中ドットは順序値２番の画素と３番の画素とに形成され、小ドットは順序値４番の画素に形成される。図２９では、図１７に倣って、大ドットを形成する画素には細かいハッチングを付し、中ドットを形成する画素には少し粗いハッチングを付し、小ドットを形成する画素には粗いハッチングを付して表している。こうして得られたドットの分布と、図２５に示した画素毎にドット形成の有無を判断して得られたドットの分布とを比較すれば、両者のドット分布は完全に一致していることが分かる。
【０１６４】
すなわち、分類番号に依存した多値化結果値のみを受け取った場合でも、上述した方法を用いてドット形成の有無を決定してやれば、前述した特許３２９２１０４号を適用してディザ法を参照しながら画素毎に大中小各ドットの形成有無を判断した場合と、全く同じドット分布を得ることができる。このため、ドットが良好に分散された高画質な画像を得ることが可能となるのである。
【０１６５】
加えて、多値化結果値を生成するために参照された多値化テーブルは、ディザマトリックスに基づいて設定されている（図２７参照）。同様に、多値化結果値からドット形成有無を決定する過程で参照された変換テーブルあるいは順序値マトリックスも、ディザマトリックスに基づいて設定されている（図２７、図２８参照）。従って、これらテーブル類の設定に用いられるディザマトリックスとして、いわゆるブルーノイズマスク、あるいはグリーンノイズマスクを使用すれば、これらマスクを用いることで初めて得られるような、高画質な画像を得ることが可能となる。
【０１６６】
なお、本明細書中で言うブルーノイズマスクとは、ドットを不規則に発生させるディザマトリックスであって、設定されている閾値の空間周波数が、２画素以下を１周期とする高周波数領域に最も大きな成分を有するマトリックスを言う。もっとも、明るい（明度の高い）画像など、特定の明度付近では規則的なパターンでドットが形成される場合があっても良い。また、本明細書中で言うブルーノイズ特性とは、ブルーノイズマスクが有するこうした特性を言う。更に、本明細書中で言うグリーンノイズマスクとは、ドットを不規則に発生させるディザマトリックスであって、設定されている閾値の空間周波数が、２画素から十数画素を１周期とする中間周波数領域に最も大きな成分を有するマトリックスを言う。もっとも、グリーンノイズマトリックスについても、特定の明度付近であれば規則的なパターンでドットが形成される場合があっても良い。また、本明細書中で言うグリーンノイズ特性とは、グリーンノイズマスクが有するこうした特性を言う。
【０１６７】
図３０は、ブルーノイズマスク、およびグリーンノイズマスクに設定されている閾値の空間周波数特性を概念的に例示した説明図である。図３０では、表示の都合から、横軸には空間周波数の代わりに周期を取って表示している。言うまでもなく、周期が短くなるほど、空間周波数は高くなる。また、図３０の縦軸は、それぞれの周期での空間周波数成分を示している。なお、図示されている周波数成分は、ある程度変化が滑らかとなるように平滑化された状態で示されている。
【０１６８】
図中の実線は、ブルーノイズマスクの空間周波数成分を概念的に示している。図示されているように、ブルーノイズマスクは、１周期の長さが２画素以下の高い周波数領域に最も大きな周波数成分を有している。ブルーノイズマスクの閾値は、このような空間周波数特性を有するように設定されていることから、ブルーノイズマスクに基づいてドット形成の有無を判断した場合には、ドットが互いに離れた状態で形成される傾向にある。また、図中の破線は、グリーンノイズマスクの空間周波数成分を概念的に示している。図示されているように、グリーンノイズマスクは、１周期の長さが２画素から十数画素の中間周波数領域に最も大きな周波数成分を有している。グリーンノイズマスクの閾値は、このような空間周波数特性を有するように設定されていることから、グリーンノイズマスクに基づいてドット形成の有無を判断した場合には、数ドット単位で隣接してドットが形成されながら、全体としてはドットの固まりが分散した状態で形成される傾向にある。
【０１６９】
従って、このようなブルーノイズマスク、あるいはグリーンノイズマスクに基づいて、画素群内でのドット形成有無を決定してやれば、画素群単位で処理しているにも関わらず、ブルーノイズ特性あるいはグリーンノイズ特性を反映した分布となるようにドットを発生させて、高画質な画像を出力することが可能となるのである。
【０１７０】
Ｃ−９．画素群の位置から分類番号を決定する方法  ：
ここで、画像上での画素群の位置から、その画素群の分類番号を求める方法について、簡単に説明しておく。
【０１７１】
図３１は、画像上での画素群の位置に基づいて、分類番号を求める方法を示した説明図である。今、対象としている画素群が、図３１（ａ）に示すように、画像の一番左上隅を基準として主走査方向にｉ個目の画素群、副走査方向にｊ個目の画素群の位置にあるとする。また、このような画素群の位置を、座標値（ｉ，ｊ）によって表すものとする。また、ディザマトリックスの大きさは、通常は、画像のようには大きくはないので、図２１（ｂ）を用いて前述したように、ディザマトリックスを主走査方向に移動させながら、繰り返して使用するものとする。
【０１７２】
１つのディザマトリックスには主走査方向・副走査方向にそれぞれ３２個ずつのブロックが含まれるとしているから（図２０（ｂ）参照）、ディザマトリックス中で、対象の画素群がある位置をＩ行Ｊ列とすれば、Ｉ、Ｊはそれぞれ次式で求めることができる。
Ｉ＝ｉ  −  ｉｎｔ（ｉ／３２）×３２
Ｊ＝ｊ  −  ｉｎｔ（ｊ／３２）×３２
ここで、ｉｎｔは、小数点以下を切り捨てて整数化することを表す前述した演算子である。従って、画素群の座標値（ｉ，ｊ）に上式を適用してＩ，Ｊを求めることで、その画素群がディザマトリックス中でＩ行Ｊ列にあることが分かる。これより、分類番号は、
Ｉ＋（Ｊ−１）×３２  ...（２）
によって求めることができる。
【０１７３】
また、画素群のディザマトリックス中での位置を表す値Ｉ，Ｊは、上述したような計算を実行せずとも、ｉ，ｊの２進数表示から所定ビットのデータを抜き出すだけで、極めて簡便に求めることができる。図３２は、画素群の座標値（ｉ，ｊ）から、画素群のディザマトリックス中での位置を求める方法を具体的に示した説明図である。図３２（ａ）は、数値ｉを表す１０ビットの２進数表示したデータを概念的に示している。なお、図３２（ａ）では、各ビットを識別するために、最上位ビットから最下位ビットに向かって１番から１０番までの通し番号を付して表示している。
【０１７４】
画素群の位置を示す値Ｉを求めるに際しては、先ず初めに、ｉｎｔ（ｉ／３２）を算出する。この演算は、ｉの２進数データを右方向に５ビット分だけビットシフトさせることで実行することができる（図３２（ｂ）参照）。次いで、ｉｎｔ（ｉ／３２）×３２を算出する。この演算は、ｉｎｔ（ｉ／３２）の２進数データを左方向に５ビット分だけビットシフトさせることで実行することができる（図３２（ｃ）参照）。最後に、数値ｉから、ｉｎｔ（ｉ／３２）×３２を減算すれば、目的とする数値Ｉを得ることができる。この操作は、結局は、数値ｉの２進数データから下位の５ビットのみを抜き出していることに他ならないから、極めて簡便に数値Ｉを得ることが可能である。同様にして、数値ｊの２進数データから下位の５ビットのみを抜き出すことで、極めて簡便に数値Ｊを得ることが可能である。こうして数値ＩおよびＪが求まれば、上述の（２）式を用いて分類番号を算出することができる。
【０１７５】
以上、本発明の実施例の画像印刷処理中で行われる多値化結果値生成処理（図６のステップＳ１０６）、およびドット形成有無決定処理（図６のステップＳ１０８）の内容について詳しく説明した。上述した多値化結果値生成処理では、所定数の画素をまとめて画素群を生成し、その画素群の画素群階調値を多値化して得られた結果値を生成する。多値化結果値の生成に際しては、多値化テーブルを参照することにより、極めて迅速に生成することができる。加えて、こうして得られた多値化結果値は、画素群の分類番号に依存した結果値であるが、画素毎にドット形成の有無を表すデータに比べて、データ量が遙かに小さくなっているため、コンピュータ１００からカラープリンタ２００に向かって極めて迅速にデータを出力することができる。すなわち、上述した多値化結果値生成処理では、多値化結果値の生成および出力を高速に実行することが可能であり、その分だけ画像を迅速に印刷することが可能となるのである。
【０１７６】
加えて、多値化結果値を生成する処理は、単に多値化テーブルを参照する処理に過ぎず、多値化テーブルを参照するために使用する分類番号や画素群階調値も、極めて簡便な処理で求めることができるので、コンピュータ１００のような高いデータ処理能力を備えていない機器を用いた場合でも、十分に実用的な速度で処理することができる。
【０１７７】
更に、処理内容の大部分は、単にテーブルを参照するという極めて簡素な処理となることから、ＣＰＵを用いてソフトウェア的に実行するのではなく、専用の論理回路を組み込んだＩＣチップを用いてハードウェア的に実行することも容易であり、こうすることで極めて高速に処理することも可能である。従って、デジタルカメラ１２０などの画像データを生成する機器と、カラープリンタ２００とを直接接続した場合でも、多値化結果値生成処理をデジタルカメラ１２０やカラープリンタ２００の内部で実行することで、迅速に画像を印刷することも可能となる。
【０１７８】
一方、本発明の実施例の画像印刷処理中で行われるドット形成有無決定処理では、多値化結果値を受け取ると、画素群内の各画素についてドットの形成有無を決定する。ドット形成の有無を決定するに際しては、変換テーブルを参照することで、多値化結果値をドット個数の組合せに変換する。そして、順序値マトリックスを参照することで、各種ドットの形成位置を決定する。すなわち、変換テーブルおよび順序値マトリックスを参照することによって、各種ドットを形成する画素位置を迅速に決定することができる。
【０１７９】
通常、形成可能なドットの種類が増加すると、これら各種ドットを形成する画素位置を決定する処理は加速度的に複雑なものとなる。これに対して、上述した本発明の実施例のドット形成有無決定処理では、ドットの種類が増加した場合でも、変換テーブルおよび順序値マトリックスを参照するという基本的な処理内容は同じであり、処理内容が複雑化することはない。この点からも、本発明の実施例のドット形成有無決定処理によれば、簡素で且つ迅速な処理が可能と言うことができる。更に、上述した多値化結果生成処理と同様に、本実施例のドット形成有無決定処理においても、処理内容の大部分は、単にテーブルを参照するという極めて簡素な処理であるため、ＣＰＵを用いてソフトウェア的に実行するのではなく、専用の論理回路を組み込んだＩＣチップを用いてハードウェア的に実行することも容易であり、こうすることで極めて高速に処理することが可能である。
【０１８０】
図３３（ａ）〜（ｅ）は、ローカルマトリックス内において、画素群階調値に応じて閾値の格納位置が入れ替えられる様子を示す説明図である。ローカルマトリックスとは、ディザマトリックスのうちの各画素群に対応する要素で構成された部分マトリックスである。
【０１８１】
図３３（ｂ）は、後述する初期状態としてのブルーノイズマトリックスの部分マトリックスであるローカルマトリックスＬＭｄを示している。順序値マトリックスＯｒｄ６（図１６）は、ローカルマトリックスＬＭｄに基づいて生成されている。図３３（ｃ）は、分類番号「１」の画素群の多値化結果「１」に相当する入力階調値に最適化された結果、初期状態と同一となっているローカルマトリックスＬＭｄを示している。このマトリックスは、順序値マトリックスＯｒｄ１の生成の基準となるマトリックスである。なお、一部の入力階調値に対する最適化の方法については後述する。
【０１８２】
図３３（ｄ）は、分類番号「１」の画素群の多値化結果「２」に相当する入力階調値に最適化されたローカルマトリックスＬＭ１を示している。ローカルマトリックスＬＭ１は、初期状態のローカルマトリックスＬＭｄに対して４個の閾値の配置が入れ替えられている。具体的には、閾値「１５」と閾値「１６２」とが入れ替えられているとともに、閾値「４０」と閾値「１１６」とが入れ替えられている。これにより、分類番号「１」の画素群の多値化結果「２」のドット配置では、分類番号「１」の画素群の多値化結果「１」のドット配置で形成されていた画素にドットが形成されることなく、他の２箇所の画素にドットが形成されることになる。
【０１８３】
図３３（ｅ）は、ローカルマトリックスＬＭ１に対して、さらに、閾値「４０」と閾値「２１０」とが入れ替えられたローカルマトリックスＬＭ２を示している。ローカルマトリックスＬＭ２は、順序値マトリックスＯｒｄ３の生成の基準となるマトリックスである。このような閾値の入れ替えは、本願の発明者が初めて実装に成功したものであって、従来のディザマトリックスでは、少なくとも現実問題としては存在しなかった概念である。
【０１８４】
図３４は、上述の閾値の入れ替えが粒状性を低減させる様子を示す説明図である。ドットパターンＤＰ１〜ＤＰ４は、初期状態としてのローカルマトリックスに基づいて生成された順序値マトリックスＯｒｄ６に基づいて形成されている。一方、ドットパターンＤＰ１ａ〜ＤＰ４ａは、初期状態としてのローカルマトリックスに基づいて生成された順序値マトリックスＯｒｄ１〜３に基づいて形成されている。ドットパターンＤＰ１〜ＤＰ４、ＤＰ１ａ〜ＤＰ４ａにおいて、横線のハッチングが付されたドットは、対象となるローカルマトリックス内に形成されたドットを意味し、縦線のハッチングが付されたドットは、対象となるローカルマトリックス内に形成されたドットに対して連続するドットを意味する。
【０１８５】
図３４から分かるように、ドットパターンＤＰ１ａ〜ＤＰ４ａは、ドットパターンＤＰ１〜ＤＰ４に対して低い粒状性を有する。ドットパターンＤＰ１ａ〜ＤＰ４ａにおいては、ドットの連続によって生成される巨大ドットの発生が、ドットパターンＤＰ１〜ＤＰ４に対して少ないからである。このような巨大ドットの発生の低減は、対象となるローカルマトリックスのドット配置を考慮しつつ、ドットが連続しないように順序値マトリックスを修正することによって実現されている。このような順序値マトリックスの修正は、後述するような方法でディザマトリックスを調整することによって半自動化することも可能である。
【０１８６】
図３５は、本実施例の順序値マトリックスの生成で参照されるディザマトリックスの調整処理の流れを示すフローチャートである。ここでは、一例としてブルーノイズ特性を有する既存のディザマトリックスを元にして、想定される入力階調値の一部の着目階調値に対して粒状性を低下させる方法を説明する。
【０１８７】
ステップＳ５００では、元になるディザマトリックスとしてブルーノイズ特性を有する既存のディザマトリックスが読み込まれる。このディザマトリックスは、入力階調値の全体に対して最適化が図られてブルーノイズ特性を有するように構成されている。入力階調値の全体に対して最適化が図られているので、入力階調値の各部分については他の部分との妥協が図られていることになる。
【０１８８】
ステップＳ５０２では、読み込んだマトリックスがマトリックスＡとして設定される。ステップＳ５０４では、着目ローカルマトリックスの中から２つの画素位置（画素位置Ｐおよび画素位置Ｑ）がランダムに選択される。着目ローカルマトリックスとは、最適化の対象となるローカルマトリックスを意味している。ローカルマトリックスとは、ディザマトリックスのうちで画素群に対応する部分マトリックスを意味する。
【０１８９】
ステップＳ５０６では、着目ローカルマトリックスの中から選択された画素位置Ｐに設定されている閾値と、選択した画素位置Ｑに設定されている閾値とを入れ換えて、得られたマトリックスをマトリックスＢとする。このように、閾値の入れ替えは、各ローカルマトリックスの内部においてのみ行われる。これにより、各ローカルマトリックスに対応する画素群で形成されるドット個数が維持されることになる。
【０１９０】
ステップＳ５０８では、マトリックスＡについての粒状性評価値Ｅvaが算出される。粒状性評価値とは、本実施例では、着目階調値（たとえば階調値０〜７）の８通りの画像にディザ法を適用して得られた８通りのドットの形成状態のＲＭＳ粒状度である。ＲＭＳ粒状度とは、濃度分布の標準偏差であって、ドットの形成状態を数値化してローパスフィルタ処理を施したデータの標準偏差として高速に算出することができる。ステップＳ５１０では、マトリックスＢについても同様にして粒状性評価値Ｅvbが算出される。
【０１９１】
ステップＳ５１２では、マトリックスＡについての粒状性評価値Ｅvaと、マトリックスＢについての粒状性評価値Ｅvbとが比較される。この比較の結果、好ましい方（粒状性評価値が小さい方）のディザマトリックスが選択される。この選択は、マトリックスの読み替えによって実行される（ステップＳ５１４）。
【０１９２】
このような処理（ステップＳ５０４〜ステップＳ５１４）が、着目ローカルマトリックスを変更しつつ粒状性評価値が収束するまで繰り返される。粒状性評価値が収束したか否かは、たとえば、マトリックスＡの粒状性評価値ＥvaよりもマトリックスＢの粒状性評価値Ｅvbの方が小さくなった場合について、粒状性評価値の減少量を求めておき、この減少量が複数回の操作に亘って安定して一定値以下となっていれば、粒状性評価値が収束したものと判断することができる。
【０１９３】
このようにして、着目階調値（上述の例では階調値０〜７）に最適化されたディザマトリックスを生成することができる。他の階調値に最適化されたディザマトリックスについても、着目閾値を変更することによって、同様に生成することができる。これにより、従来のディザマトリックスの限界、すなわち、想定される入力階調値の全域を評定として閾値の格納要素が配置されなければならないという限界を超えて画質を向上させることができることになる。
Ｄ．変形例：
Ｄ−１．第１の変形例  ：
上述した本発明の実施例の多値化結果値生成処理では、階調値０から階調値２５５までの画素群階調値毎に、対応する多値化結果値を記憶した多値化テーブルを参照している。しかし多値化結果値は、画素群階調値が増加するに従って段階的に増加するだけなので、多値化結果値が切り換わる画素群階調値だけを記憶しておけば、画素群階調値に対する多値化結果値を求めることができる。以下に説明する第１の変形例の画像印刷処理では、こうした変形例の多値化結果値生成処理を行う。
【０１９４】
図３６は、変形例の多値化結果値生成処理において参照される閾値テーブルを概念的に示した説明図である。図示されているように閾値テーブルには、分類番号毎に、多値化結果値に対応する閾値が設定されている。この閾値は、画素群階調値を階調値０から階調値２５５まで増加させたときに、その多値化結果値となる最も大きな画素群階調値を表している。一例として、分類番号１番の画素群について説明する。分類番号１番については、多値化結果値「０」に対しては閾値「２」が設定されている。これは、分類番号１番の画素群については、画素群階調値が「０」ないし「２」の範囲にあれば、多値化結果値が「０」となることを表している。また、多値化結果値「１」に対しては閾値「１５」が設定されている。これは、分類番号１番の画素群については、画素群階調値が「３」から「１５」の範囲にあれば多値化結果値が「１」となることを表している。同様に、多値化結果値「１４」に対しては閾値「２４３」が、そして多値化結果値「１５」に対しては閾値「２５５」が設定されている。これは、画素群階調値が「２４４」から「２５５」の範囲にあれば多値化結果値が「１５」になることを、そして、分類番号１番の画素群については、多値化結果値の最大値が「１５」であることを表している。
【０１９５】
なお、図３６では、分類番号毎の閾値は、それぞれ多値化結果値に対応させて設定されているものとした。しかし、特に多値化結果値に対応付けることなく、単なる閾値の組を分類番号毎に記憶することとしてもよい。この場合は、画素群階調値よりも小さな閾値の個数を数えることで、多値化結果値を求めることができる。再び、分類番号１番の画素群を例に用いて説明する。たとえば、画素群階調値が「２０」であったとする。分類番号１番に設定されている閾値の組の中で、階調値２０よりも小さな閾値は、「２」、「１５」、「１８」の３個である。このことから、画素群階調値２０に対する多値化結果値は「３」であると求めることとしてもよい。
【０１９６】
以上に説明した変形例の多値化結果値生成処理では、画素群についての画素群階調値と分類番号とを求めた後、図３６に例示した閾値テーブルを参照することによって、多値化結果値を生成する。閾値テーブルは、前述した本発明の実施例の多値化結果生成処理中で参照する多値化テーブル（図９参照）よりも少ないデータ量で記憶しておくことができる。このため、変形例の多値化結果値生成処理は、本発明の実施例として示した処理に比べて、メモリ使用量を節約することが可能である。これに対して、本発明の実施例の多値化結果値生成処理は、分類番号と画素群階調値とから多値化テーブルを参照するだけで直ちに多値化結果値を求めることができる。すなわち、変形例における処理のように画素群階調値と閾値とを比較する必要がないので、迅速に多値化することが可能である。
【０１９７】
Ｄ−２：第２の変形例  ：
上述した本発明の実施例のドット形成有無決定処理では、画素群の分類番号と多値化結果値とを受け取ると、これを、画素群内に形成する各種ドットの個数を表すデータに一旦変換した。そして、ドット形成の有無を判断するに際しては、画素群内の各画素についてドットを形成するか否かをドットの種類毎に決定した。たとえば、図１１に示したフローチャートでは、初めに大ドットについてのドット形成の有無を判断し、次に中ドットのついての判断を行い、最後に小ドットについて判断するといったように、ドットの種類毎にドット形成有無を判断していた。しかし、ドット形成有無を判断する方法は、こうした方法に限られるものではない。たとえば、画素群内から画素を１つずつ選択して、各画素について、大中小のいずれのドットが形成されるのか、あるいはドットが形成されないかを判断することとしてもよい。以下に説明する第２の変形例の画像印刷処理では、こうした変形例のドット形成有無決定処理を行う。
【０１９８】
図３７は、変形例のドット形成有無決定処理の流れを示したフローチャートである。以下、フローチャートに従って、変形例のドット形成有無決定処理について説明する。
【０１９９】
変形例のドット形成有無決定処理においても前述した本発明の実施例における処理と同様に、処理を開始すると先ず初めに、処理対象とする画素群を１つ選択する（ステップＳ７００）。次いで、選択した画素群の多値化結果値を取得し（ステップＳ７０２）、画素群の分類番号と多値化結果値とに基づいて、その画素群に形成するドット個数を表すデータを取得する（ステップＳ７０４）。ドット個数のデータは、分類番号と多値化結果値との組合せから、図１２に示した変換テーブルを参照することによって迅速に取得することができる。
【０２００】
変形例のドット形成有無決定処理では、こうして取得したドット個数のデータを一旦、１６ビット長の中間データに変換する（ステップＳ７０６）。すなわち、図１２の変換テーブルではデータ量を低減するために、ドット個数のデータを８ビット長のコード値として表したが、変形例のドット形成有無決定処理では、ドット形成有無をより簡便に決定可能な形式で表現された中間データに一旦変換しておくのである。ここで、中間データのデータ長が１６ビットとなっているのは、画素群内に含まれる画素数が８個であり、各画素についてのドット形成の有無は２ビットあれば表現可能であることによる。換言すれば、中間データは２ビットずつを１組として、画素数に相当する８組のデータを用いてドット個数を表すデータとなっている。画素群に形成するドット個数をこのような形式で表現しておけば、後述するように画素との対応が取り易くなるため、ドット形成有無を簡便に決定することが可能となる。変形例のドット形成有無決定処理においては、ドット個数を表すコード値と中間データとの対応関係が予め記憶されており、ステップＳ７０６の処理では、かかる対応関係を参照することによって中間データを取得する。
【０２０１】
図３８は、ドット個数を表すコード値と中間データとを対応付けた対応表を示す説明図である。前述したようにコード値は、各種ドットについての個数の組合せに対応付けられているから（図１３参照）、２ビットを１組としてドットの種類を表し、そのビットの組をドットの個数に相当する数だけ並べた表現形式に変換すれば、１６ビットのデータを得ることができる。１６ビット長の中間データは、コード値の表現形式をこの様にして変換して得られたデータとなっている。
【０２０２】
たとえば、コード値「１」は、大ドット０個、中ドット０個、小ドット１個の組合せを示している。なお、参考として、図３８の右側には、それぞれのコード値が示すドット個数の組合せが示されている。今、小ドットを表す２ビットデータを「０１」とすれば、コード値「１」に対応する１６ビットデータは、「０１」が１組だけ含まれており、他の７組の２ビットデータは「００」であるようなデータとなる。なお、２ビットデータ「００」はドットを形成しないことを表すデータである。
【０２０３】
同様に、コード値「１６３」は、大ドット７個、中ドット１個、小ドット０個の組合せを示している。今、大ドットを表す２ビットデータを「１１」として、中ドットを表す２ビットデータを「１０」とすれば、コード値「１６３」に対応する１６ビットデータは、「１１」の２ビットデータが７組含まれており、「１０」の２ビットデータが１組含まれたデータとなる。
【０２０４】
なお、これら２ビットデータは、大ドット、中ドット、小ドットの順番で、右詰めで設定されている。たとえば、ドット個数の組合せが、大ドット１個、中ドット２個、小ドット３個であったとすると、８組の２ビットデータの中で、大ドットを表す２ビットデータ「１１」は右端に１組だけ設定され、その左隣に続けて、中ドットを表す２ビットデータ「１０」が２組設定され、更にその左隣に続けて、小ドットを表す２ビットデータ「０１」が３組設定され、残った２組には、ドットを形成しないことを表す２ビットデータ「００」が設定されることになる。もっとも、これら２ビットデータを左詰めで設定することとしても良い。すなわち、大ドット、中ドット、小ドットの順番で左から順番に設定しても良い。
【０２０５】
図３７に示した変形例のドット形成有無決定処理のＳ７０６では、図３８に示した対応関係を参照することによって、ドット個数を表すデータを、中間データに変換する処理を行う。なお、以上の説明では、図１２に示した変換テーブルを参照することによって、分類番号および画素群階調値の組合せを、ドット個数を表す８ビットのコード値に一旦変換した後、図３８に示した対応関係に基づいて、コード値を１６ビットの中間データに変換するものとした。もっとも、コード値と中間データとは１対１に対応付けられていることから、図１２に示した変換テーブルに、８ビットのコード値ではなく１６ビットの中間データを設定しておき、画素群の分類番号および画素群階調値の組合せから、直ちに中間データを取得することも可能である。このようにすれば、変換テーブルのデータ量は大きくなるものの、迅速に中間データを得ることができる。
【０２０６】
以上のようにして中間データを取得したら、画素群の分類番号および画素群階調値の組合せに応じて順序値マトリックスを生成した後（ステップＳ７０８）、画素群の中からドット形成有無を決定しようとする画素を１つ選択して（ステップＳ７１０）、順序値マトリックス中で選択した画素位置に設定されている順序値を取得する（ステップＳ７１２）。
【０２０７】
次いで、先に取得しておいた中間データの中から、順序値に対応する箇所に設定されている２ビットデータを読み出すことによって、選択した画素についてのドット形成の有無を決定する（ステップＳ７１４）。図３９は、中間データの中から順序値に対応する箇所のデータを読み出すことにより、ドット形成の有無を決定している様子を示した説明図である。図３９（ａ）は、ある画素群に形成するドット個数のデータを変換して得られた中間データを例示したものである。前述したように中間データは、１６ビット長のデータであり、２ビットずつ８組のデータから構成されている。また、図３９（ａ）に示した中間データには、大ドットを表す２ビットデータ「１１」が１組、中ドットを表す２ビットデータ「１０」が２組、小ドットを表す２ビットデータ「０１」が３組、ドットを形成しないことを表す２ビットデータ「００」が２組含まれており、これら２ビットデータが、大ドット、中ドット、小ドットの順序で右詰めに設定されている。
【０２０８】
今、ドット形成有無を決定しようとしている画素の順序値が「３」であったとする。この場合は、中間データの中で、右から３組目に設定されている２ビットデータを読み出せば、順序値３の画素に形成すべきドットの種類を決定することができる。図３９（ｂ）には、中間データの右端から３組目にある２ビットデータを読み出している様子が、概念的に示されている。図示した例では、読み出した２ビットデータは「１０」であるから、この画素には中ドットを形成するものと決定すればよい。仮に、順序値が「１」であれば、中間データの右端に設定されている２ビットデータを読み出して、大ドットを形成するものと決定すればよい。
【０２０９】
このように、変形例のドット形成有無決定処理では、中間データの中から、順序値に相当する箇所に設定されている２ビットデータを読み出すという極めて簡単な操作によって、ドット形成の有無を決定することができる。これは、次の理由によるものである。先ず、中間データには、大ドット、中ドット、小ドットを表す２ビットデータが右詰めで設定されている。一方、図２３あるいは図２５に示したように、ディザ法を用いて大中小各ドットの形成有無を判断する処理では、大ドット、中ドット、小ドットの順番でドット形成の有無を決定している。従って、中間データに設定されている２ビットデータを右端から順番に読み出していけば、図２３あるいは図２５を用いて前述した手法を適用して各種ドットを形成する画素位置を決定した順番と同じ順番で、大ドット、中ドット、小ドットを表す２ビットデータの並びが得られることになる。
【０２１０】
Ｄ−３：第３の変形例  ：
上述の実施例や変形例は、大中小の３種類のドットを形成するプリンタを想定して構成されているが、たとえば４種類以上のドットを形成するプリンタや２種類あるいは図４０に示されるような１種類のドットを形成するプリンタにも本願発明は適用することが可能である。
【０２１１】
なお、１種類のドットを形成するプリンタに本願発明を適用する場合には、ディザ法を用いて大中小各ドットの形成有無を判断する処理（図２３、図２５）が不要となるので、ドット個数データの生成や供給が不要となるとともに順序値マトリックスにおける順序の概念も不要となる。これにより、たとえば分類番号と位置番号（図１５）のみで基準位置マトリックスＰＯＳ（図１５）に基づいて各画素群のドットの形成位置を決定するように構成することもできる。この結果、各入力階調領域毎（あるいは各入力階調値毎）にドットの分散性が最適化された印刷を極めて少ない処理負担で実現することができることになる。なお、各画素群のドットの形成位置を表すデータは、特許請求の範囲における「ドット配置データ」に相当する。
【０２１２】
Ｄ−４：第４の変形例  ：
上述の実施例や変形例では、印刷画像を複数の画素群に分割して画素群毎にハーフトーン処理を行っているが、たとえば入力階調値の一部の領域に対して最適化された複数のディザマトリックスを用いて従来のように画素毎に処理するようにしても良い。ただし、上述の実施例や変形例は、従来のディザ法よりも少ない処理負担で本願発明を実現できるという利点を有する。
【０２１３】
このようなディザマトリックスは、たとえば領域毎に最適化された複数のディザマトリックスとして構成されていても良い。領域毎とは、たとえば入力階調値が０〜２５５の幅を有する場合には、０〜７、８〜１５というように所定の幅を持った領域毎であっても良いし、階調値毎であっても良い。さらに、たとえばハーフトーン処理に起因して画質劣化が生じやすい領域、すなわちドット密度の低い一部の領域のみに対して格納位置の変更を行うようにしても良い。
【０２１４】
また、特許請求の範囲における「所定のディザマトリックスを用いてハーフトーン処理」とは、広い概念を有し、所定のディザマトリックスに基づいて生成されたデータ（たとえば個数データ変換テーブル（図１２）や順序値マトリックス変換テーブル（図１４））を用いてドットデータを生成する処理も含む。
【０２１５】
さらに、上述の実施例や変形例では、ディザマトリックスに設定されている閾値と画像データの階調値とを画素毎に比較することによって、個数データ変換テーブル等を生成しているが、たとえば閾値と階調値の和を固定値と比較してドット形成の有無を判断して各テーブル（図１２、図１４）等を生成するようにしても良い。
【０２１６】
Ｄ−５：第５の変形例  ：
上述の実施例では、ローパスフィルタ処理を行うとともにドット密度の均一性やＲＭＳ粒状度に基づいてディザマトリックスの最適性を評価しているが、たとえばドットパターンに対してフーリエ変換を行うとともにＶＴＦ関数を用いてディザマトリックスの最適性を評価するように構成しても良い。具体的には、ゼロックスのＤｏｏｌｅｙらが用いた評価尺度（Ｇｒａｉｎｅｓｓ  ｓｃａｌｅ：ＧＳ値）をドットパターンに適用して、ＧＳ値によってディザマトリックスの最適性を評価するように構成しても良い。ここで、ＧＳ値とは、ドットパターンに対して２次元フーリエ変換を含む所定の処理を行って数値化するとともに、視覚の空間周波数特性ＶＴＦとカスケードした後に積分することによって得ることができる粒状性評価値である（参考文献：ファインイメージングとハードコピー、コロナ社、日本写真学会、日本画像学会  合同出版委員会編  P534）。ただし、前者は、フーリエ変換などの複雑な計算が不必要となるという利点を有する。なお、ＧＳ値は、粒状性指数とも呼ばれる。
【０２１７】
以上、各種の実施例について説明してきたが、本発明は上記すべての実施例に限られるものではなく、その要旨を逸脱しない範囲において種々の態様で実施することができる。たとえば、以上の実施例では、印刷用紙上にドットを形成して画像を印刷する場合について説明したが、本発明の適用範囲は画像を印刷する場合に限られるものではない。たとえば、液晶表示画面上で輝点を適切な密度で分散させることにより、階調が連続的に変化する画像を表現する液晶表示装置などにも、本発明を好適に適用することができる。
【０２１８】
Ｄ−６：第６の変形例  ：
上述の実施例では、全ての出力画素群について順序値マトリックスを切り替えているが、たとえばチェッカーフラグ状に選択した全体の１／２の出力画素群についてのみ順序値マトリックスの切替を行うようにしても良いし、全体の１／４程度の出力画素群に減らしても良い。発明者が行った実験によれば、全体の１／２の出力画素群の切替で効果の飽和が始まり、全体の１／４程度の出力画素群の切替でも顕著な効果が確認された。本発明のドット配置決定工程は、少なくとも一部の出力画素群について複数のドット配置決定用マトリクスの切替が行われればよい。
【０２１９】
Ｄ−７：第７の変形例  ：
上述の実施例では、入力階調値の一部の領域についてディザマトリックスのローカルブロック内での閾値の格納位置の入替で最適化を図っているが、たとえば順序値マトリックスに格納されている順序値の入替によって、順序値マトリックスを入力階調値の一部の領域について直接的に最適化を図るように構成しても良い。なお、順序値マトリックスは、特許請求の範囲における「ドット配置決定用マトリクス」に相当する。
【０２２０】
Ｄ−８：第８の変形例  ：
図２９に示したように、上述のドット形成有無決定処理においては、画素群毎に多値化結果値を受け取ると、画素群の分類番号を求めた後、多値化結果値と分類番号との組合せから、画素群内に形成される各種ドットの個数を決定した。そして、これらドットを形成する画素位置については、分類番号に対応した順序値マトリックスを参照することによって決定していた。すなわち、画素群の多値化結果値および分類番号が決まれば、画素群内の各画素に形成されるドットの種類を決定することができる。従って、予め、多値化結果値と分類番号との組合せ毎に、画素群内の各画素に形成されるドットの種類を求めて対応表に記憶しておけば、かかる対応表を参照するだけで、直ちにドット形成有無を決定することができるはずである。第８の変形例のドット形成有無決定処理は、このような考え方に基づいて、画素群の多値化結果値から、各画素についてのドット形成の有無を迅速に決定することが可能となっている。
【０２２１】
図４１は、第８の変形例のドット形成有無決定処理で参照される変換テーブルを概念的に示した説明図である。図示されているように、第８の変形例の変換テーブルには、多値化結果値と分類番号との組合せに対応付けて、画素群内の各画素に形成されるドット種類を表すデータが設定されている。以下では、このようなデータをドットデータと呼ぶことにする。図４１に示した変換テーブルを参照すれば、画素群の分類番号と画素群階調値との組合せから、対応するドットデータを直ちに読み出すことができる。例えば、分類番号ｉ番、画素群階調値ｊであれば、ドットデータはＤＤ（ｉ，ｊ）となる。こうして読み出されたドットデータには、画素群内の各画素についてドット形成の有無が記述されている。
【０２２２】
図４２は、第８の変形例の変換テーブルに設定されているドットデータのデータ構造を示した説明図である。図４２（ａ）に示すように、ドットデータは２ビットずつのデータ８組から構成された１６ビット長のデータとなっている。ここで、１つのドットデータが８組のデータから構成されているのは、本実施例の画像印刷処理では、１つの画素群には８つの画素が含まれていることに対応するものである。従って、例えば、１つの画素群が４つの画素から構成される場合は、１つのドットデータは４組のデータから構成されることになる。また、１組のデータが２ビットとなっているのは、本実施例のカラープリンタ２００が１つの画素あたり、「大ドットを形成」、「中ドットを形成」、「小ドットを形成」、「ドットを形成しない」の４つの状態を表現し得ることに対応したものである。すなわち、１つの画素あたり４つの状態しか取り得ないのであれば、２ビットで表現可能である。そこで、画素１つ分に対応する１組のデータを、２ビットのデータ長としているのである。
【０２２３】
図４２に示すように、ドットデータを構成する８組のデータは、それぞれ画素群内の所定位置の画素に対応付けられている。例えば、図４２（ａ）に示したドットデータの先頭にある１組目のデータは、図４２（ｂ）に示すように、画素群内で左上隅の画素に対応している。また、ドットデータの先頭から２組目のデータは、画素群内で上段の左から２番目の画素に対応している。このように、ドットデータを構成する８組のデータは、それぞれ画素群内の所定位置の画素に予め対応付けられている。
【０２２４】
そして、各組のデータの内容は、対応する画素に形成するドットの種類を表している。すなわち、２ビットのデータ「１１」は大ドットを形成することを意味している。２ビットのデータ「１０」は中ドットを形成することを意味しており、「０１」は小ドットを形成することを、そして「００」はドットを形成しないことを意味している。以上の説明から分かるように、図４２（ａ）に例示したドットデータは、画素群の左上隅の画素には大ドットを形成し、上段の左から３番目の画素には中ドットを、下段の左から２番目の画素には小ドットを、画素群の右下隅の画素には中ドットを形成し、そして、その他の画素にはドットを形成しないことを表すデータとなっている。
【０２２５】
このような変換テーブルを参照すれば、画素群の分類番号と多値化結果値とに基づいて、各画素についてのドット形成の有無を速やかに決定することが可能である。次に、第８の変形例のドット形成有無決定処理において、多値化結果値から画素群内の各画素についてドット形成の有無を決定する具体的な処理について説明する。
【０２２６】
図４３は、第８の変形例のドット形成有無決定処理の流れを示すフローチャートである。以下、フローチャートに従って簡単に説明する。第８の変形例のドット形成有無決定処理を開始すると、処理対象とする画素群を１つ選択する（ステップＳ９００）。次いで、選択した画素群の多値化結果値を取得する（ステップＳ９０２）。このとき、画素群の分類番号が与えられていなければ、分類番号も算出しておく。そして、分類番号および多値化結果値の組合せに基づいて、図４１に示した変換テーブルを参照することにより、画素群内の各画素についてドット形成の有無を表したドットデータを読み出してやる（ステップＳ９０４）。第８の変形例のドット形成有無決定処理では、こうして変換テーブルから対応する位置に記憶されているドットデータを読み出すだけで、画素群内の各画素についてドット形成の有無を決定することができる。
【０２２７】
次いで、全画素群についてドット形成の有無を決定したか否かを判断し（ステップＳ９０６）、未処理の画素群が残っていれば（ステップＳ９０６：ｎｏ）、ステップＳ９００に戻って新たな画素群を選択し、その画素群について続く一連の処理を行う。こうした操作を繰り返して、全画素群について処理を終了したと判断されたら（ステップＳ９０６：ｙｅｓ）、図４３に示す第８の変形例のドット形成有無決定処理を終了する。
【０２２８】
以上に説明したように、第８の変形例のドット形成有無決定処理では、変換テーブルを１回参照するだけで、多値化結果値から画素群内の各画素についてのドット形成有無を直ちに決定することができる。従って、図１１に示した上述の実施例のドット形成有無決定処理に対しても、より一層迅速にドット形成の有無を決定することができ、延いては、極めて迅速に画像を出力することが可能となる。
【図面の簡単な説明】
【０２２９】
【図１】印刷システムを例にとって本発明の概要を説明するための説明図。
【図２】本実施例の画像処理装置としてのコンピュータの構成を示す説明図。
【図３】本実施例のカラープリンタの概略構成を示す説明図。
【図４】インク吐出用ヘッドにおけるインクジェットノズルの配列を示す説明図。
【図５】インク滴の吐出を制御することにより、大きさの異なるドットを形成する原理を示した説明図。
【図６】本発明の実施例の画像印刷処理の全体的な流れを示すフローチャート。
【図７】本発明の実施例の画像印刷処理で行われる多値化結果値生成処理の流れを示すフローチャート。
【図８】画素群の分類番号を決定する方法を示した説明図。
【図９】本発明の実施例の多値化結果値生成処理で参照される多値化テーブルを概念的に示した説明図。
【図１０】画素群階調値が増加するに従って多値化結果値が段階的に増加していく様子を例示した説明図。
【図１１】本発明の実施例のドット形成有無決定処理の流れを示すフローチャート。
【図１２】画素群の分類番号と多値化結果値との組合せを、ドット個数を示すデータに変換する際に参照される変換テーブルを概念的に示した説明図。
【図１３】コード化された個数データと各コード値が表す各種ドットの個数との対応関係を示した説明図。
【図１４】順序値マトリックスを生成するための位置番号を取得するための位置番号取得テーブルを示す説明図。
【図１５】位置番号から順序値マトリックスを生成する方法を示す説明図。
【図１６】分類番号が１番の順序値マトリックスを示す説明図。
【図１７】ドット個数のデータと順序値マトリックスとを用いて、画素群内で各種ドットを形成する画素を決定している様子を概念的に表した説明図。
【図１８】ディザマトリックスの一部を拡大して例示した説明図。
【図１９】ディザマトリックスを参照しながら、各画素についてのドット形成の有無を判断している様子を概念的に示した説明図。
【図２０】画素群毎の分類番号を決定するための考え方を示した説明図。
【図２１】画素群の分類番号を算出する方法を示した説明図。
【図２２】着目画素群の座標値の２進数表示から分類番号を求める方法を示した説明図。
【図２３】ディザ法を発展させて画素毎に大中小各ドットの形成の有無を決定可能としたハーフトーン処理の流れを示すフローチャート。
【図２４】画像データの階調値を大中小各ドットについての密度データに変換する際に参照されるドット密度変換テーブルを概念的に示した説明図。
【図２５】画素群内の各画素について大中小各ドットの形成有無を判断している様子を概念的に示した説明図。
【図２６】多値化テーブルを設定する処理の流れを示したフローチャート。
【図２７】変換テーブルを設定する処理の流れを示したフローチャート。
【図２８】順序値マトリックスを設定する方法を示した説明図。
【図２９】本発明の実施例のドット形成有無決定処理において多値化結果値から大中小各ドットの形成有無を画素毎に決定する処理の大まかな流れを概念的に示した説明図。
【図３０】ブルーノイズマスク、およびグリーンノイズマスクに設定されている閾値の空間周波数特性を概念的に例示した説明図。
【図３１】画像上での画素群の位置に基づいて、分類番号を求める方法を示した説明図。
【図３２】画素群の座標値（ｉ，ｊ）から、画素群のディザマトリックス中での位置を求める方法を具体的に示した説明図。
【図３３】ローカルマトリックス内において、画素群階調値に応じて閾値の格納位置が入れ替えられる様子を示す説明図。
【図３４】閾値の入れ替えが粒状性を低減させる様子を示す説明図。
【図３５】本実施例におけるディザマトリックス調整処理の流れを示すフローチャート。
【図３６】変形例の多値化結果値生成処理において参照される閾値テーブルを概念的に示した説明図。
【図３７】変形例のドット形成有無決定処理の流れを示したフローチャート。
【図３８】ドット個数を表すコード値と中間データとを対応付けた対応表を示す説明図。
【図３９】中間データの中から順序値に対応する箇所のデータを読み出すことによってドット形成の有無を決定する様子を示した説明図。
【図４０】１種類のドットを形成するプリンタにおいて閾値の入れ替えが粒状性を低減させる様子を示す説明図。
【図４１】第８変形例のドット形成有無決定処理で参照される変換テーブルを概念的に示した説明図。
【図４２】第８変形例の変換テーブルに設定されているドットデータのデータ構造を示した説明図。
【図４３】第８変形例のドット形成有無決定処理の流れを示すフローチャート。
【符号の説明】
【０２３０】
１０...コンピュータ
２０...カラープリンタ
１００...コンピュータ
１０８...周辺機器インターフェースＰＩＦ
１０９...ディスクコントローラＤＤＣ
１１０...ネットワークインターフェースカードＮＩＣ
１１２...ビデオインターフェースＶＩＦ
１１６...バス
１１８...ハードディスク
１２０...デジタルカメラ
１２２...カラースキャナ
１２４...フレキシブルディスク
１２６...コンパクトディスク
２３０...キャリッジモータ
２３５...モータ
２３６...プラテン
２４０...キャリッジ
２４１...印字ヘッド
２４２...インクカートリッジ
２４３...インクカートリッジ
２４４...インク吐出用ヘッド
２６０...制御回路
２００...カラープリンタ
３００...通信回線
３１０...記憶装置
【図１】
0004534963.tif 000002
【図２】
0004534963.tif 000003
【図３】
0004534963.tif 000004
【図４】
0004534963.tif 000005
【図５】
0004534963.tif 000006
【図６】
0004534963.tif 000007
【図７】
0004534963.tif 000008
【図８】
0004534963.tif 000009
【図９】
0004534963.tif 000010
【図１０】
0004534963.tif 000011
【図１１】
0004534963.tif 000012
【図１２】
0004534963.tif 000013
【図１３】
0004534963.tif 000014
【図１４】
0004534963.tif 000015
【図１５】
0004534963.tif 000016
【図１６】
0004534963.tif 000017
【図１７】
0004534963.tif 000018
【図１８】
0004534963.tif 000019
【図１９】
0004534963.tif 000020
【図２０】
0004534963.tif 000021
【図２１】
0004534963.tif 000022
【図２２】
0004534963.tif 000023
【図２３】
0004534963.tif 000024
【図２４】
0004534963.tif 000025
【図２５】
0004534963.tif 000026
【図２６】
0004534963.tif 000027
【図２７】
0004534963.tif 000028
【図２８】
0004534963.tif 000029
【図２９】
0004534963.tif 000030
【図３０】
0004534963.tif 000031
【図３１】
0004534963.tif 000032
【図３２】
0004534963.tif 000033
【図３３】
0004534963.tif 000034
【図３４】
0004534963.tif 000035
【図３５】
0004534963.tif 000036
【図３６】
0004534963.tif 000037
【図３７】
0004534963.tif 000038
【図３８】
0004534963.tif 000039
【図３９】
0004534963.tif 000040
【図４０】
0004534963.tif 000041
【図４１】
0004534963.tif 000042
【図４２】
0004534963.tif 000043
【図４３】
0004534963.tif 000044